(57)【要約】      （修正有）【課題】水中などの特殊な環境で好適に撮影することができる、レンズ交換式のカメラシステムを提供する。【解決手段】ボディアダプタ３００は、カメラボディ１００との着脱を可能にする第１マウント部３０１と、耐環境レンズ２００およびレンズアダプタ５００との着脱を可能にする第２マウント部３０２とを備える。またボディアダプタ３００は、カメラボディ１００と電気信号の送受信を行い、耐環境レンズ２００およびレンズアダプタ５００と光通信を行う。カメラボディ１００、耐環境レンズ２００およびレンズアダプタ５００は、バッテリを備え、ボディアダプタ３００はバッテリを備えない。【選択図】図１
2014071289.tif 000002
【特許請求の範囲】
【請求項１】
少なくとも水中撮影に対応したカメラシステムを、カメラボディと、前記カメラボディが装着されるアクセサリと共に構成する交換レンズであって、
前記交換レンズの第１側面に設けられ、前記カメラボディが装着された前記アクセサリが着脱可能に接続されるマウント部と、
前記交換レンズの前記第１側面に設けられ、光信号を用いて前記マウント部に接続された前記アクセサリと光通信を行う光通信部と、
バッテリと、
を備え、
前記バッテリから供給される電力で動作することを特徴とする交換レンズ。
【請求項２】
請求項１に記載の交換レンズにおいて、
前記交換レンズの前記第１側面に設けられ、前記光通信部を保護し、前記光信号を透過する保護部材をさらに備え、
前記アクセサリの第２側面に前記保護部材を密着させながら、前記第２側面に平行な所定方向に前記アクセサリを相対的に移動させることにより、前記マウント部に前記アクセサリが装着されることを特徴とする交換レンズ。
【請求項３】
請求項２に記載の交換レンズにおいて、
前記保護部材から前記所定方向に所定距離離れた位置に設けられ、前記第１側面から突出する突出状態と、前記第１側面と略面一となるように収納された収納状態とを有するワイパをさらに備え、
前記ワイパは、前記マウント部に前記アクセサリが装着されるとき、前記アクセサリの前記第２側面に付着した異物を払拭することを特徴とする交換レンズ。
【請求項４】
請求項３に記載の交換レンズにおいて、
前記光通信部は、
前記アクセサリから第１クロック信号が入力される第１の受信用光通信端子と、
前記アクセサリから前記第１クロック信号に同期した第１データ信号が入力される第２の受信用光通信端子と、
前記第１クロック信号に同期して第２データ信号を前記アクセサリに向けて出力する第１の送信用光通信端子と、
前記第１の受信用光通信端子と、前記第２の受信用光通信端子と、前記第１の送信用光通信端子と、前記第２の送信用光通信端子とを用いた通信の可否を表す信号が前記アクセサリに向けて出力される第２の送信用光通信端子と、を備え、
前記第２の送信用光通信端子は、前記第１の受信用光通信端子と前記第２の受信用光通信端子と前記第１の送信用光通信端子よりも、前記ワイパから離れた位置に配置されることを特徴とする交換レンズ。
【請求項５】
請求項３または４に記載の交換レンズにおいて、
前記光通信部は、
第３の受信用光通信端子と、第４の受信用光通信端子と、第３の送信用光通信端子と、第４の送信用光通信端子とをさらに備え、
前記第３の受信用光通信端子には、前記第３の受信用光通信端子と前記第４の受信用光通信端子と前記第３の送信用光通信端子と前記第４の送信用光通信端子とを用いた通信の開始に関する信号が入力され、
前記第３の受信用光通信端子は、前記第４の受信用光通信端子と前記第３の送信用光通信端子と前記第４の送信用光通信端子よりも前記ワイパから離れた位置に配置されることを特徴とする交換レンズ。
【請求項６】
請求項１から５のいずれか一項に記載の交換レンズにおいて、
前記バッテリの電力消費が少ないスリープ状態を有し、
前記スリープ状態にあるときに前記光通信部を介して所定の光信号を受信したとき、前記スリープ状態から脱して、前記光通信部を用いた通信が所定時間以上行われていないとき前記スリープ状態に移行する制御部をさらに備えることを特徴とする交換レンズ。
【請求項７】
少なくとも水中撮影に対応したカメラシステムを、アクセサリと、バッテリを備えるカメラボディと共に構成するアダプタであって、
前記アダプタの第１側面に有し、前記カメラボディが着脱可能に接続される第１マウント部と、
前記アダプタの第２側面に有し、前記アクセサリが着脱可能に接続される第２マウント部と、
電気接点を保持し、前記第１マウント部に接続された前記カメラボディと電気信号の送受信を行う保持部と、
前記保持部が受信した電気信号を光信号に変換して前記第２マウント部に接続された前記アクセサリに向けて当該光信号を出力すると共に、前記アクセサリから入力された光信号を電気信号に変換して前記保持部に向けて当該電気信号を出力する光通信部と、を備え、
前記カメラボディの前記バッテリから電力が供給されて、前記アクセサリへは当該電力を供給しないことを特徴とするアダプタ。
【請求項８】
請求項７に記載のアダプタにおいて、
前記光通信部を外部環境から保護し、光信号を透過する保護部材をさらに備え、
前記アクセサリに前記保護部材を密着させながら、前記第２側面に平行な所定方向に前記アクセサリを相対的に移動させることにより、前記第２マウント部に前記アクセサリが装着されることを特徴とするアダプタ。
【請求項９】
請求項８に記載のアダプタにおいて、
前記保護部材から前記所定方向と逆方向に所定距離離れた位置に設けられ、前記第２側面から突出する突出状態と、前記第２側面と略面一となるように収納された収納状態とを有するワイパをさらに備え、
前記ワイパは、前記第２マウント部に前記アクセサリが装着されるとき、前記アクセサリに付着した異物を払拭することを特徴とするアダプタ。
【請求項１０】
請求項９に記載のアダプタにおいて、
前記光通信部は、
第１クロック信号を前記アクセサリに向けて出力する第１の送信用光通信端子と、
前記第１クロック信号に同期した第１データ信号を前記アクセサリに向けて出力する第２の送信用光通信端子と、
前記アクセサリから前記第１クロック信号に同期して第２データ信号を入力される第１の受信用光通信端子と、
前記交換レンズの通信可否を表す信号が入力される第２の受信用光通信端子と、を備え、
前記第２の受信用光通信端子は、前記第１の受信用光通信端子と前記第１の送信用光通信端子と前記第２の送信用光通信端子よりも、前記ワイパに近い位置に配置されることを特徴とするアダプタ。
【請求項１１】
請求項９または１０に記載のアダプタにおいて、
前記光通信部は、
第３の受信用光通信端子と、第４の受信用光通信端子と、第３の送信用光通信端子と、第４の送信用光通信端子とをさらに備え、
前記第３の送信用光通信端子には、前記第３の受信用光通信端子と前記第４の受信用光通信端子と前記第３の送信用光通信端子と前記第４の送信用光通信端子とを用いた通信の開始に関する信号が入力され、
前記第３の送信用光通信端子は、前記第３の受信用光通信端子と前記第４の受信用光通信端子と前記第４の送信用光通信端子よりも前記ワイパから離れた位置に配置されることを特徴とするアダプタ。
【請求項１２】
請求項７から１１のいずれか一項に記載のアダプタにおいて、
前記第１マウント部に装着されたカメラボディを保護する保護ケースをさらに備えることを特徴とするアダプタ。
【請求項１３】
請求項７から１２のいずれか一項に記載のアダプタにおいて、
前記アクセサリは、交換レンズまたは第２のアダプタであることを特徴とするアダプタ。
【請求項１４】
少なくとも水中撮影に対応したカメラシステムを、交換レンズと、アクセサリと、バッテリを備えるカメラボディと共に構成するアダプタであって、
前記アダプタの第１側面に有し、前記カメラボディが装着された前記アクセサリが着脱可能に装着される第１マウント部と、
前記アダプタの第２側面に有し、前記交換レンズが着脱可能に接続される第２マウント部と、
電気接点を保持し、前記第２マウント部に接続された前記交換レンズと電気信号の送受信を行う保持部と、
前記保持部が受信した電気信号を光信号に変換して前記アクセサリに向けて当該光信号を出力すると共に、前記アクセサリから入力された光信号を電気信号に変換して前記保持部に向けて当該電気信号を出力する光通信部と、
バッテリと、を備え、
前記バッテリから供給される電力で動作することを特徴とするアダプタ。
【請求項１５】
請求項１４に記載のアダプタにおいて、
前記アダプタの前記第１側面に設けられ、前記光通信部を外部環境から保護し、前記光信号を透過する保護部材をさらに備え、
前記アクセサリの第３側面に前記保護部材を密着させながら、前記第３側面に平行な所定方向に前記アクセサリを相対的に移動させることにより、前記第１マウント部に前記アクセサリが装着されることを特徴とするアダプタ。
【請求項１６】
請求項１５に記載のアダプタにおいて、
前記保護部材から前記所定方向に所定距離離れた位置に設けられ、前記第１側面から突出する突出状態と、前記第１側面と略面一となるように収納された収納状態とを有するワイパをさらに備え、
前記ワイパは、前記第１マウント部に前記アクセサリが装着されるとき、前記アクセサリの前記第３側面に付着した異物を払拭することを特徴とするアダプタ。
【請求項１７】
請求項１６に記載のアダプタにおいて、
前記光通信部は、
前記アクセサリから第１クロック信号が入力される第１の受信用光通信端子と、
前記アクセサリから前記第１クロック信号に同期した第１データ信号が入力される第２の受信用光通信端子と、
前記第１クロック信号に同期して第２データ信号を前記アクセサリに向けて出力する第１の送信用光通信端子と、
前記交換レンズの通信可否を表す信号を前記アクセサリに向けて出力する第２の送信用光通信端子と、を備え、
前記第２の送信用光通信端子は、前記第１の受信用光通信端子と前記第２の受信用光通信端子と前記第１の送信用光通信端子よりも、前記ワイパから離れた位置に配置されることを特徴とするアダプタ。
【請求項１８】
請求項１６または１７に記載のアダプタにおいて、
前記光通信部は、
第３の受信用光通信端子と、第４の受信用光通信端子と、第３の送信用光通信端子と、第４の送信用光通信端子とをさらに備え、
前記第３の受信用光通信端子には、前記第３の受信用光通信端子と前記第４の受信用光通信端子と前記第３の送信用光通信端子と前記第４の送信用光通信端子とを用いた通信の開始に関する信号が入力され、
前記第３の受信用光通信端子は、前記第４の受信用光通信端子と前記第３の送信用光通信端子と前記第４の送信用光通信端子よりも前記ワイパから離れた位置に配置されることを特徴とするアダプタ。
【請求項１９】
請求項１４から１８のいずれか一項に記載のアダプタにおいて、
前記第２マウント部に装着された交換レンズを保護する保護ケースをさらに備えることを特徴とするアダプタ。
【請求項２０】
カメラボディと交換レンズとアクセサリとを備え、少なくとも水中撮影に対応したカメラシステムであって、
前記カメラボディは、
第１バッテリと、
前記アクセサリが着脱可能に装着されるボディ側マウント部と、
電気接点を保持し、前記ボディ側マウント部に接続された前記アクセサリと電気信号の送受信を行うボディ側保持部と、を備え、
前記アクセサリは、
前記ボディ側マウント部が着脱可能に装着される第１マウント部と、
前記交換レンズが着脱可能に装着される第２マウント部と、
電気接点を保持し、前記ボディ側保持部と電気信号の送受信を行う第１保持部と、
前記第１保持部が受信した電気信号を光信号に変換して前記第２マウント部に接続された前記交換レンズに向けて当該光信号を出力すると共に、前記交換レンズから入力された光信号を電気信号に変換して前記第１保持部に向けて当該電気信号を出力する第１光通信部と、を備え、
前記交換レンズは、
第２バッテリと、
前記第２マウント部が着脱可能に装着されるレンズ側マウント部と、
光信号を用いて前記第１光通信部と光通信を行うレンズ側光通信部と、を備え、
前記交換レンズは、前記第２バッテリから供給される電力で動作することを特徴とするカメラシステム。
【請求項２１】
カメラボディと交換レンズと第１アクセサリと第２アクセサリとを備え、少なくとも水中撮影に対応したカメラシステムであって、
前記カメラボディは、
第１バッテリと、
前記第１アクセサリが着脱可能に装着されるボディ側マウント部と、
電気接点を保持し、前記ボディ側マウント部に接続された前記第１アクセサリと電気信号の送受信を行うボディ側保持部と、を備え、
前記第１アクセサリは、
前記ボディ側マウント部が着脱可能に装着される第１マウント部と、
前記第２アクセサリが着脱可能に装着される第２マウント部と、
電気接点を保持し、前記ボディ側保持部と電気信号の送受信を行う第１保持部と、
前記第１保持部が受信した電気信号を光信号に変換して前記第２マウント部に接続された前記第２アクセサリに向けて当該光信号を出力すると共に、前記第２アクセサリから入力された光信号を電気信号に変換して前記第１保持部に向けて当該電気信号を出力する第１光通信部と、を備え、
前記第２アクセサリは、
前記第２マウント部が着脱可能に装着される第３マウント部と、
前記交換レンズが着脱可能に装着される第４マウント部と、
電気接点を保持し、前記交換レンズと電気信号の送受信を行う第２保持部と、
前記第１光通信部から入力された光信号を電気信号に変換して前記第２保持部に向けて当該電気信号を出力すると共に、前記第２保持部が受信した電気信号を光信号に変換して前記第３マウント部に接続された前記第１アクセサリに向けて当該光信号を出力する第２光通信部と、
第２バッテリと、を備え、
前記交換レンズは、
前記第４マウント部が着脱可能に装着されるレンズ側マウント部と、
電気接点を保持し、前記第２保持部と電気信号の送受信を行うレンズ側保持部と、を備え、
前記交換レンズは、前記第２バッテリから供給される電力で動作することを特徴とするカメラシステム。
【発明の詳細な説明】
【技術分野】
【０００１】
本発明は交換レンズおよびアダプタと、それらを備えるカメラシステムとに関する。
【背景技術】
【０００２】
特許文献１には、非接触式の電力供給装置と、光通信装置とを用いたレンズ交換式のカメラシステムが開示されている。
【先行技術文献】
【特許文献】
【０００３】
【特許文献１】特開２００７―６００１０号公報
【発明の概要】
【発明が解決しようとする課題】
【０００４】
特許文献１に記載されているカメラシステムでは、水中などの特殊な環境での撮影を行う場合に、電磁誘導等を利用して交換レンズに電力を供給している。このような電力供給方法は、撮影画像にノイズを発生させるおそれがある。
本発明の目的は、水中などの特殊な環境で好適に撮影可能なレンズ交換式のカメラシステムの提供にある。
【課題を解決するための手段】
【０００５】
本発明の一態様による交換レンズは、少なくとも水中撮影に対応したカメラシステムを、カメラボディと、カメラボディが装着されるアクセサリと共に構成する交換レンズであって、交換レンズの第１側面に設けられ、カメラボディが装着されたアクセサリが着脱可能に接続されるマウント部と、交換レンズの第１側面に設けられ、光信号を用いてマウント部に接続されたアクセサリと光通信を行う光通信部と、バッテリと、を備え、バッテリから供給される電力で動作することを特徴とする。
【０００６】
本発明の別の一態様によるアダプタは、少なくとも水中撮影に対応したカメラシステムを、アクセサリと、バッテリを備えるカメラボディと共に構成するアダプタであって、アダプタの第１側面に有し、カメラボディが着脱可能に接続される第１マウント部と、アダプタの第２側面に有し、アクセサリが着脱可能に接続される第２マウント部と、電気接点を保持し、第１マウント部に接続されたカメラボディと電気信号の送受信を行う保持部と、保持部が受信した電気信号を光信号に変換して第２マウント部に接続されたアクセサリに向けて当該光信号を出力すると共に、アクセサリから入力された光信号を電気信号に変換して保持部に向けて当該電気信号を出力する光通信部と、を備え、カメラボディのバッテリから電力が供給されて、アクセサリへは当該電力を供給しないことを特徴とする。
【０００７】
本発明の別の一態様によるアダプタは、少なくとも水中撮影に対応したカメラシステムを、交換レンズと、アクセサリと、バッテリを備えるカメラボディと共に構成するアダプタであって、アダプタの第１側面に有し、カメラボディが装着されたアクセサリが着脱可能に装着される第１マウント部と、アダプタの第２側面に有し、交換レンズが着脱可能に接続される第２マウント部と、電気接点を保持し、第２マウント部に接続された交換レンズと電気信号の送受信を行う保持部と、保持部が受信した電気信号を光信号に変換してアクセサリに向けて当該光信号を出力すると共に、アクセサリから入力された光信号を電気信号に変換して保持部に向けて当該電気信号を出力する光通信部と、バッテリと、を備え、バッテリから供給される電力で動作するようにしてもよい。
【０００８】
本発明による別の一態様によるカメラシステムは、カメラボディと交換レンズとアクセサリとを備え、少なくとも水中撮影に対応したカメラシステムであって、カメラボディは、第１バッテリと、アクセサリが着脱可能に装着されるボディ側マウント部と、電気接点を保持し、ボディ側マウント部に接続されたアクセサリと電気信号の送受信を行うボディ側保持部と、を備え、アクセサリは、ボディ側マウント部が着脱可能に装着される第１マウント部と、交換レンズが着脱可能に装着される第２マウント部と、電気接点を保持し、ボディ側保持部と電気信号の送受信を行う第１保持部と、第１保持部が受信した電気信号を光信号に変換して第２マウント部に接続された交換レンズに向けて当該光信号を出力すると共に、交換レンズから入力された光信号を電気信号に変換して第１保持部に向けて当該電気信号を出力する第１光通信部と、を備え、交換レンズは、第２バッテリと、第２マウント部が着脱可能に装着されるレンズ側マウント部と、光信号を用いて第１光通信部と光通信を行うレンズ側光通信部と、を備え、交換レンズは、第２バッテリから供給される電力で動作することを特徴とする。
【０００９】
本発明による別の一態様によるカメラシステムは、カメラボディと交換レンズと第１アクセサリと第２アクセサリとを備え、少なくとも水中撮影に対応したカメラシステムであって、カメラボディは、第１バッテリと、第１アクセサリが着脱可能に装着されるボディ側マウント部と、電気接点を保持し、ボディ側マウント部に接続された第１アクセサリと電気信号の送受信を行うボディ側保持部と、を備え、第１アクセサリは、ボディ側マウント部が着脱可能に装着される第１マウント部と、第２アクセサリが着脱可能に装着される第２マウント部と、電気接点を保持し、ボディ側保持部と電気信号の送受信を行う第１保持部と、第１保持部が受信した電気信号を光信号に変換して第２マウント部に接続された第２アクセサリに向けて当該光信号を出力すると共に、第２アクセサリから入力された光信号を電気信号に変換して第１保持部に向けて当該電気信号を出力する第１光通信部と、を備え、第２アクセサリは、第２マウント部が着脱可能に装着される第３マウント部と、交換レンズが着脱可能に装着される第４マウント部と、電気接点を保持し、交換レンズと電気信号の送受信を行う第２保持部と、第１光通信部から入力された光信号を電気信号に変換して第２保持部に向けて当該電気信号を出力すると共に、第２保持部が受信した電気信号を光信号に変換して第３マウント部に接続された第１アクセサリに向けて当該光信号を出力する第２光通信部と、第２バッテリと、を備え、交換レンズは、第４マウント部が着脱可能に装着されるレンズ側マウント部と、電気接点を保持し、第２保持部と電気信号の送受信を行うレンズ側保持部と、を備え、第１アクセサリは、第１バッテリから供給される電力で動作して、交換レンズは、第２バッテリから供給される電力で動作するようにしてもよい。
【発明の効果】
【００１０】
本発明によるアダプタや交換レンズを用いたレンズ交換式のカメラシステムを用いることにより、水中などの特殊な環境で好適に撮影することができる。
【図面の簡単な説明】
【００１１】
【図１】本発明の第１の実施の形態によるカメラシステムの概略ブロック図である。
【図２】本発明の第１の実施の形態による交換レンズ（耐環境レンズ）に関するブロック構成図である。
【図３】本発明の第１の実施の形態によるカメラボディに関するブロック構成図である。
【図４】本発明の第１の実施の形態によるボディアダプタに関するブロック構成図である。
【図５】保持部の詳細を示す模式図である。
【図６】ボディアダプタを第２マウント部側から見た正面図の一例である。
【図７】交換レンズをレンズ側マウント部側から見た正面図の一例である。
【図８】第２マウント部にレンズ側マウント部が装着された状態を示す図である。
【図９】コマンドデータ通信の例を示すタイミングチャートである。
【図１０】ホットライン通信の例を示すタイミングチャートである。
【図１１】交換レンズの装着判定処理に関するフローチャートである。
【図１２】交換レンズの起動処理に関するフローチャートである。
【図１３】光学補正処理に関するフローチャートである。
【図１４】取り外し判定処理に関するフローチャートである。
【図１５】スリープ処理に関するフローチャートである。
【図１６】本発明の第２の実施の形態によるカメラシステムの概略ブロック図である。
【図１７】本発明の第１および第２の実施の形態によるレンズアダプタに関するブロック構成図である。
【図１８】本発明の第１および第２の実施の形態による交換レンズに関するブロック構成図である。
【図１９】ボディアダプタのブロック構成図の変形例である。
【図２０】カメラボディの保持部の電気接点に関する変形例を示す図である。
【図２１】ボディアダプタを第２マウント部側から見た正面図の一例である。
【発明を実施するための形態】
【００１２】
―第１の実施の形態―
（カメラシステムの構成）
図１（ａ）および（ｂ）は、本発明の第１の実施の形態によるカメラシステムの概略ブロック図である。図１（ａ）に示すカメラシステム１および図１（ｂ）に示すカメラシステム２は共にレンズ交換式であって、水中や砂嵐の中などの特殊な環境で撮影に対応している。
【００１３】
カメラボディ１００には、ボディアダプタ３００や交換レンズ４００が着脱可能に装着されるボディ側マウント部１０１が設けられている。ボディ側マウント部１０１の近傍（ボディ側マウント部１０１の内周側）の位置には、ボディ側マウント部１０１の内周側に部分的に突出する状態で、１２個のボディ側接続端子（電気接点）を保持する保持部１１１が設けられている。
【００１４】
耐環境レンズ２００は、水中などの特殊な環境で撮影を行うための交換レンズであって、ボディアダプタ３００が着脱可能に装着されるレンズ側マウント部２０１が設けられている。耐環境レンズ２００は、水等の液体や粉塵等が内部に浸入しないように密閉されている。レンズ側マウント部２０１の近傍の位置には、８個のレンズ側光通信端子を有する光通信部２１１が設けられている。
【００１５】
ボディアダプタ３００は、耐環境レンズ２００をカメラボディ１００に装着するためのマウントアダプタである。ボディアダプタ３００の側面には、ボディ側マウント部１０１に対応する第１マウント部３０１が設けられている。また、ボディアダプタ３００の別の側面には、レンズ側マウント部２０１に対応する第２マウント部３０２が設けられている。
【００１６】
第１マウント部３０１は、ボディ側マウント部１０１に着脱可能に装着される。第２マウント部３０２は、レンズ側マウント部２０１に着脱可能に装着される。図１（ａ）は、第１マウント部３０１にボディ側マウント部１０１が装着され、第２マウント部３０２にレンズ側マウント部２０１が装着された状態を示している。第１マウント部３０１にボディ側マウント部１０１が接続されるとカメラボディ１００とボディアダプタ３００は、水や粉塵などの浸入ができない密閉構造となる。
【００１７】
第１マウント部３０１の近傍（第１マウント部３０１の内周側）の位置には、第１マウント部３０１の内周側に部分的に突出する状態で、１２個のボディアダプタ側接続端子（電気接点）を保持する保持部３１１が設けられている。ボディアダプタ３００がカメラボディ１００に装着されると、保持部３１１の１２個のボディアダプタ側接続端子（電気接点）とカメラボディ１００における保持部１１１の１２個のボディ側接続端子（電気接点）とが電気的にかつ物理的に接続される。
【００１８】
第２マウント部３０２の近傍の位置には、８個のボディアダプタ側光通信端子を有する光通信部３１２が設けられている。耐環境レンズ２００がボディアダプタ３００に装着されると、耐環境レンズ２００の光通信部２１１と、ボディアダプタ３００の光通信部３１２とは、それぞれの光通信端子を用いて光通信を行う。光通信部３１２の８個のボディアダプタ側光通信端子は、詳細を後述するように、保持部３１１が保持する１２個のボディアダプタ側接続端子（電気接点）のうち、信号線用の８個のボディアダプタ側接続端子（電気接点）に対応している。ボディアダプタ３００は、電気信号と光信号とを双方向に変換することができる。
【００１９】
図１（ａ）のように、カメラボディ１００がボディアダプタ３００の第１マウント部３０１に接続され、耐環境レンズ２００が第２マウント部３０２に接続された状態では、カメラシステム１は、内部に水体や粉塵などの浸入ができない密閉構造となる。
【００２０】
図１（ｂ）の交換レンズ４００には、カメラボディ１００やレンズアダプタ５００が着脱可能に装着されるレンズ側マウント部４０１が設けられている。レンズ側マウント部４０１の近傍（レンズ側マウント部４０１の内周側）の位置には、レンズ側マウント部４０１の内周側に部分的に突出する状態で、１２個のボディ側接続端子（電気接点）を保持する保持部４１１が設けられている。
【００２１】
レンズアダプタ５００は、交換レンズ４００をボディアダプタ３００に装着するためのマウントアダプタである。レンズアダプタ５００の側面には、第２マウント部３０２に対応する第３マウント部５０３が設けられている。また、レンズアダプタ５００の別の側面には、レンズ側マウント部４０１に対応する第４マウント部５０４が設けられている。
【００２２】
第３マウント部５０３は、ボディアダプタ３００の第２マウント部３０２に着脱可能に装着される。第４マウント部５０４は、交換レンズ４００のレンズ側マウント部４０１に着脱可能に装着される。図１（ｂ）は、第３マウント部５０３に第２マウント部３０２が装着され、第４マウント部５０４にレンズ側マウント部４０１が装着された状態を示している。第４マウント部５０４にレンズ側マウント部４０１が接続されると、交換レンズ４００とレンズアダプタ５００は、水や粉塵などの浸入ができない密閉構造となる。
【００２３】
第３マウント部５０３の近傍の位置には、８個のレンズアダプタ側光通信端子を有する光通信部５１３が設けられている。ボディアダプタ３００がレンズアダプタ５００に装着されると、ボディアダプタ３００の光通信部３１２との光通信端子と、レンズアダプタ５００の光通信部５１３の光通信端子とは、それぞれの光通信端子を用いて光通信を行う。
【００２４】
第４マウント部５０４の近傍（第４マウント部５０４の内周側）の位置には、第４マウント部５０４の内周側に部分的に突出する状態で、１２個のレンズアダプタ側接続端子（電気接点）を保持する保持部５１４が設けられている。交換レンズ４００がレンズアダプタ５００に装着されると、保持部５１４の１２個のレンズアダプタ側接続端子（電気接点）と交換レンズ４００における保持部４１１の１２個のレンズ側接続端子（電気接点）とが電気的にかつ物理的に接続される。
【００２５】
光通信部５１３の８個のレンズアダプタ側光通信端子は、詳細を後述するように、保持部５１４が保持する１２個のレンズアダプタ側接続端子（電気接点）のうち、信号線用の８個のレンズアダプタ側接続端子（電気接点）に対応している。レンズアダプタ５００は、電気信号と光信号とを双方向に変換することができる。
【００２６】
図１（ｂ）のように、カメラボディ１００がボディアダプタ３００の第１マウント部３０１に接続され、交換レンズ４００がレンズアダプタ５００の第４マウント部５０４に接続され、ボディアダプタ３００の第２マウント部３０２がレンズアダプタ５００の第３マウント部５０３に接続された状態では、カメラシステム２は、内部に水等の液体や粉塵の浸入ができない密閉構造となる。
【００２７】
図１（ａ）および（ｂ）に示すように、カメラボディ１００は、バッテリ１１０を内蔵している。カメラボディ１００は、バッテリ１１０の電力を使用して、種々の動作を行う。
【００２８】
図１（ａ）および（ｂ）に示すように、ボディアダプタ３００は、バッテリを内蔵していない。ボディアダプタ３００には、カメラボディ１００からバッテリ１１０の電力が供給される。一方、耐環境レンズ２００は、バッテリ２１０を内蔵しており、バッテリ２１０の電力を使用して、種々の動作を行う。
【００２９】
図１（ｂ）に示すように、レンズアダプタ５００は、バッテリ５１０を内蔵している。レンズアダプタ５００は、バッテリ５１０の電力を使用して、種々の動作を行う。交換レンズ４００は、図１（ａ）の耐環境レンズ２００と異なり、バッテリを内蔵していない。図１（ｂ）の状態では、交換レンズ４００には、レンズアダプタ５００からバッテリ５１０の電力が供給される。なお、特殊な環境での撮影を行わないとき、交換レンズ４００は、カメラボディ１００に装着され、ボディアダプタ３００と同様にバッテリ１１０の電力が供給される。
【００３０】
カメラシステム１とカメラシステム２は、水中等の特殊な環境の中でレンズ交換を行うことができる。例えば、カメラシステム１からカメラシステム２に切り替える場合、撮影者は、ボディアダプタ３００の第２マウント部３０２から耐環境レンズ２００のレンズ側マウント部２０１を外して、予め交換レンズ４００が装着されたレンズアダプタ５００の第３マウント部５０３を第２マウント部３０２へ装着する。一方で、カメラシステム２からカメラシステム１に切り替える場合、撮影者は、ボディアダプタ３００の第２マウント部３０２から交換レンズ４００が装着されたままレンズアダプタ５００の第３マウント部５０３を外して、耐環境レンズ２００のレンズ側マウント部２０１を第２マウント部３０２へ装着する。
【００３１】
ボディアダプタ３００は、何も装着されていない第２マウント部３０２から、ボディアダプタ３００の内部に向けて水が浸入しない構造となっている。そして耐環境レンズ２００は、ボディアダプタ３００の第２マウント部３０２に未装着のレンズ側マウント部２０１から、耐環境レンズ２００の内部に向けて水が浸入しない構造となっている。同様に、レンズアダプタ５００は、第２マウント部３０２に未装着の第３マウント部５０３から、レンズアダプタ５００の内部に向けて水が浸入しない構造となっている。なお、粉塵などについても同様に、第２マウント部３０２、レンズ側マウント部２０１、第３マウント部５０３の各々からボディアダプタ３００、耐環境レンズ２００、レンズアダプタ５００の各々へ浸入しない。
【００３２】
ボディアダプタ３００は、耐環境レンズ２００やレンズアダプタ５００との間で光通信を行う。そして、耐環境レンズ２００もレンズアダプタ５００もそれぞれバッテリを備えているため、ボディアダプタ３００から耐環境レンズ２００やレンズアダプタ５００に向けて電力を供給することを要しない。このように設計されているため、カメラシステム１および２では、外部環境に露出した電気接点は第２マウント部３０２の近傍に存在しない。そのため、水中で第２マウント部３０２に何も装着されていない状態となっても、水により電気回路がショートして故障するおそれがない。
【００３３】
耐環境レンズ２００も同様の理由により、外部環境に露出した電気接点がレンズ側マウント部２０１の近傍には設けられていないため、水中でレンズ側マウント部２０１に何も装着されていない状態となっても電気回路がショートして故障するおそれがない。レンズアダプタ５００も同様である。
【００３４】
また、ボディアダプタ３００の第２マウント部３０２に装着される耐環境レンズ２００およびレンズアダプタ５００がそれぞれバッテリを備えており、ボディアダプタ３００から給電する必要がない。すなわちボディアダプタ３００から耐環境レンズ２００およびレンズアダプタ５００に対して非接触式の電力供給を行う必要がない。電磁誘導などを利用した非接触式の電力供給を行わないことから、撮像画像にノイズが発生するおそれがない。
【００３５】
ボディアダプタ３００は、ボディアダプタ３００が水没していることを検知する水没センサ３２０を備える。カメラボディ１００は、この水没センサ３２０の検知結果を用いて水中撮影に適した撮影モードに切り替わる。水没センサ３２０は、例えば外部環境の水と接触可能な位置に二つの電気接点Ｗ１，Ｗ２を有している。水没センサ３２０は、外部環境の水を介して二つの電気接点Ｗ１，Ｗ２が導通したとき、ボディアダプタ３００の水没を検知する。なお、図１（ａ）および（ｂ）に示した電気接点Ｗ１，Ｗ２の位置および設置態様はあくまで一例である。例えば、二つの電気接点Ｗ１，Ｗ２は、ボディアダプタ３００の側面から突出していなくてもよい。また、二つの電気接点Ｗ１，Ｗ２は、第１マウント部３０１へのカメラボディ１００の着脱、第２マウント部３０２へのアクセサリの着脱を阻害しない位置であればボディアダプタ３００の任意の位置に設けることができる。
【００３６】
第１の実施の形態に関する以降の説明では、図１（ａ）のカメラシステム１について説明を行う。カメラシステム２に備わる交換レンズ４００およびレンズアダプタ５００については、第２の実施の形態においてその詳細を説明する。
【００３７】
（耐環境レンズ２００の構成）
図２は、耐環境レンズ２００に関する概略ブロック構成図である。耐環境レンズ２００は、被写体像を結像させる結像光学系２２０を備える。結像光学系２２０は、複数のレンズ２２０ａ〜２２０ｃにより構成されている。これらの複数のレンズ２２０ａ〜２２０ｃには、被写体像のピント位置を制御するためのフォーカシングレンズ２２０ｂが含まれている。
【００３８】
耐環境レンズ２００の内部には、耐環境レンズ２００の各部の制御を司るレンズ制御部２２３が設けられている。レンズ制御部２２３は、不図示のマイクロコンピュータおよびその周辺回路から構成される。レンズ制御部２２３には、レンズ駆動部２３２とレンズ位置検出部２３３とＲＯＭ２３５とＲＡＭ２３６とレンズ側第１通信部２３７とレンズ側第２通信部２３８とが接続されている。
【００３９】
レンズ側第１通信部２３７とレンズ側第２通信部２３８とは、光通信部２１１のレンズ側光通信端子を用いて、ボディアダプタ３００等を介して、カメラボディ１００と光通信によるデータの授受を行う。レンズ側第１通信部２３７とレンズ側第２通信部２３８はそれぞれ、耐環境レンズ２００の通信インターフェースである。レンズ制御部２２３は、これら通信インターフェースを使って、カメラボディ１００との間で後述する通信（コマンドデータ通信、ホットライン通信）を行う。
【００４０】
光通信部２１１は、送信用光通信端子２０６、受信用光通信端子２０７、送信用電圧変換部２１６、受信用電圧変換部２１７を、それぞれ四つ備えるが、図２ではそれらを代表した一つずつが図示されている。
【００４１】
送信用電圧変換部２１６の各々は、レンズ側第１通信部２３７とレンズ側第２通信部２３８から出力される通信用の電気信号を電圧変換して、各々に接続されている送信用光通信端子２０６に出力する。送信用光通信端子２０６は、例えば発光素子であって、送信用電圧変換部２１６から出力された電気信号を光信号に変換してボディアダプタ３００に向けて送信する。
【００４２】
受信用光通信端子２０７の各々は、例えば受光素子であって、ボディアダプタ３００からの光信号を電気信号に変換して、その電気信号を受信用電圧変換部２１７に出力する。受信用電圧変換部２１７の各々は、その電気信号を電圧変換して、レンズ側第１通信部２３７とレンズ側第２通信部２３８に出力する。
【００４３】
レンズ駆動部２３２は例えばステッピングモータ等のアクチュエータを備え、レンズ駆動部２３２に入力された信号に応じてフォーカシングレンズ２２０ｂを駆動する。レンズ位置検出部２３３は、例えばレンズ駆動部２３２のステッピングモータに入力された信号のパルス数を計数して、フォーカシングレンズ２２０ｂの位置を検出する。あるいは、耐環境レンズ２００に設けられた周知の距離エンコーダ等を用いてフォーカシングレンズ２２０ｂの位置を検出してもよい。なお、耐環境レンズ２００内に上記フォーカシングレンズ２２０ｂ以外の被駆動部材を設けてもよい。例えば、ブレ補正レンズ、絞り部材、ズームレンズなどを被駆動部材として設けてもよい。
【００４４】
ＲＯＭ２３５は、不揮発性の記憶媒体であり、レンズ制御部２２３が実行する所定の制御プログラム等が予め記憶される。ＲＡＭ２３６は揮発性の記憶媒体であり、レンズ制御部２２３により各種データの記憶領域として利用される。
【００４５】
バッテリ２１０により供給される電力は、レンズ制御部２２３に供給されると共に、レンズ駆動部２３２などの被駆動部材を駆動する駆動部へも供給される。
【００４６】
（カメラボディ１００の構成）
図３は、カメラボディ１００に関する概略ブロック構成図である。カメラボディ１００の内部には、ボディ制御部１０３と、撮像素子１０４と、操作部材１０５と、保持部１１１と、ボディ側記憶部１１３と、表示装置１１４と、ボディ側第１通信部１１７と、ボディ側第２通信部１１８と、第１電源回路１２０と、第２電源回路１２１とを備える。
【００４７】
ボディ制御部１０３は、不図示のマイクロコンピュータ、ＲＡＭおよびその周辺回路等から構成される。ボディ制御部１０３は、ＲＯＭ等のボディ側記憶部１１３に予め記憶された制御プログラムを実行することにより、カメラボディ１００の各部を制御する。
【００４８】
ボディ制御部１０３には、ボディ側第１通信部１１７およびボディ側第２通信部１１８が接続されている。ボディ側第１通信部１１７とボディ側第２通信部１１８は、保持部１１１のボディ側接続端子を用いて、ボディアダプタ３００等を介して、耐環境レンズ２００等の交換レンズとデータの授受を行う。ボディ側第１通信部１１７とボディ側第２通信部１１８はそれぞれ、カメラボディ１００の通信インターフェースである。ボディ制御部１０３は、これらの通信インターフェースを使って、耐環境レンズ２００との間で、後述する通信（コマンドデータ通信、ホットライン通信）を行う。
【００４９】
操作部材１０５は、例えば電源スイッチやレリーズスイッチなどである。
表示装置１１４は、カメラボディ１００の背面に設けられたＬＣＤパネル等である。ボディ制御部１０３は、表示装置１１４に対し、撮像素子１０４の出力に基づく被写体の画像（いわゆる、スルー画）や、撮影条件等を設定するための各種のメニュー画面を表示する。
【００５０】
第１電源回路１２０および第２電源回路１２１は、バッテリ１１０に接続されており、ＤＣ／ＤＣ変換回路やレギュレータなどで構成される。第１電源回路１２０および第２電源回路１２１はそれぞれ、バッテリ１１０の保持部１１１に備わる互いに異なる電源供給用のボディ側接続端子を介して、ボディアダプタ３００や交換レンズ４００などに互いに異なる電圧の電源を供給する。
【００５１】
（ボディアダプタ３００の構成）
図４は、ボディアダプタ３００に関するブロック構成図である。図４に例示するボディアダプタ３００には、装着検知部３０８と取り外し操作部材３１９と保持部３１１と光通信部３１２とボディアダプタ制御部３１３とボディアダプタ側第１通信部３１４とボディアダプタ側第２通信部３１５と送信用電圧変換部３１６と受信用電圧変換部３１７とボディアダプタ側記憶部３１８と水没センサ３２０とを備える。
【００５２】
前述したように、ボディアダプタ３００は、バッテリを備えていない。ボディアダプタ３００の各部は、保持部３１１を介して供給される電力により動作する。
【００５３】
装着検知部３０８は、第２マウント部３０２に耐環境レンズ２００またはレンズアダプタ５００が装着されたことを検知する。装着検知部３０８は、第２マウント部３０２に耐環境レンズ２００またはレンズアダプタ５００が装着されたとき、その装着に関する信号をボディアダプタ制御部３１３に出力する。
【００５４】
第２マウント部３０２に装着された耐環境レンズ２００またはレンズアダプタ５００は不図示のロック機構によりロック状態となる。
取り外し操作部材３１９は、ロック状態となった耐環境レンズ２００またはレンズアダプタ５００を第２マウント部３０２から取り外し可能な状態にする。
【００５５】
ボディアダプタ制御部３１３は、不図示のマイクロコンピュータ、ＲＡＭおよびその周辺回路等から構成される。ボディアダプタ制御部３１３は、ＲＯＭ等のボディアダプタ側記憶部３１８に予め記憶された制御プログラムを実行することにより、ボディアダプタ３００の各部を制御する。
【００５６】
ボディアダプタ制御部３１３には、ボディアダプタ側第１通信部３１４およびボディアダプタ側第２通信部３１５が接続されている。ボディアダプタ側第１通信部３１４とボディアダプタ側第２通信部３１５は、保持部３１１のボディアダプタ側接続端子を用いて、カメラボディ１００と電気信号によるデータの授受を行う。ボディアダプタ側第１通信部３１４とボディアダプタ側第２通信部３１５はそれぞれ、ボディアダプタ３００の通信インターフェースである。
【００５７】
また、ボディアダプタ制御部３１３には、光通信部３１２が接続されている。光通信部３１２は、送信用光通信端子３０６、受信用光通信端子３０７、送信用電圧変換部３１６、受信用電圧変換部３１７を、それぞれ四つ備えるが、図４ではそれらを代表した一つずつが図示されている。
【００５８】
ボディアダプタ制御部３１３は、装着検知部３０８の出力信号に基づいて耐環境レンズ２００またはレンズアダプタ５００の装着または取り外しが検知されたときや、水没センサ３２０の出力信号に基づいてボディアダプタ３００の水没が検知されたときに、ボディアダプタ側第１通信部３１４およびボディアダプタ側第２通信部３１５を用いてカメラボディ１００との間で通信を行う。
【００５９】
ボディアダプタ制御部３１３は、ボディアダプタ側第１通信部３１４およびボディアダプタ側第２通信部３１５を介して受信した電気信号を、それぞれ送信用電圧変換部３１６に出力することができる。送信用電圧変換部３１６の各々は、その電気信号を電圧変換して、各々に接続されている送信用光通信端子３０６に出力する。送信用光通信端子３０６は、例えば発光素子であって、送信用電圧変換部３１６から出力された電気信号を光信号に変換して耐環境レンズ２００に向けて送信する。
【００６０】
受信用光通信端子３０７の各々は、例えば受光素子であって、耐環境レンズ２００からの光信号を電気信号に変換して、その電気信号を受信用電圧変換部３１７に出力する。受信用電圧変換部３１７の各々は、その電気信号を電圧変換して、ボディアダプタ制御部３１３に出力する。ボディアダプタ制御部３１３は、受信用電圧変換部３１７から入力された電気信号を、ボディアダプタ側第１通信部３１４およびボディアダプタ側第２通信部３１５を介してカメラボディ１００に送信する。
【００６１】
水没センサ３２０は、電気接点Ｗ１およびＷ２と、プルアップ抵抗Ｒ１とを備える。電気接点Ｗ１は、プルアップ抵抗Ｒ１を介して、ボディアダプタ制御部３１３の電源電圧に接続され、プルアップされている。また、他方の電気接点Ｗ２は、接地されている。
【００６２】
プルアップされた電気接点Ｗ１には、ボディアダプタ制御部３１３が接続されている。ボディアダプタ制御部３１３は、電気接点Ｗ１の電位を監視している。ボディアダプタ３００が水没したとき、電気接点Ｗ１と電気接点Ｗ２とが水を介して電気的に接続される。このとき、電気接点Ｗ１の電位は、水の抵抗Ｒｗにより変化する。ボディアダプタ制御部３１３は、この電位変化に基づいてボディアダプタ３００の水没を検出する。
【００６３】
ボディアダプタ３００は、水没を検出したとき、ボディアダプタ側第１通信部３１４を介して、水没検出信号をカメラボディ１００に向けて出力する。
【００６４】
（保持部１１１および保持部３１１）
図５は、カメラボディ１００の保持部１１１とボディアダプタ３００の３１１の詳細を示す模式図である。図５には、保持部１１１に保持される１２個のボディ側接続端子ＢＰ１〜ＢＰ１２と、保持部３１１に保持される１２個のボディアダプタ側接続端子ＢＡＰ１〜ＢＡＰ１２とが図示されている。ボディ側接続端子ＢＰ１〜ＢＰ１２はそれぞれ、ボディアダプタ側接続端子ＢＡＰ１〜ＢＡＰ１２に対応する。
【００６５】
ボディ側接続端子ＢＰ１およびＢＰ２は、第１電源回路１２０に接続されている。第１電源回路１２０は、ボディ側接続端子ＢＰ１およびＢＰ２とボディアダプタ側接続端子ＢＡＰ１およびＢＡＰ２とを介して、ボディアダプタ３００に動作電力を供給する。ボディ側接続端子ＢＰ２は、ボディ側接続端子ＢＰ１に対する接地端子である。ボディアダプタ３００は、供給された動作電力を用いて、ボディアダプタ制御部３１３や水没センサ３２０を動作させる。
【００６６】
保持部１１１にボディアダプタ３００の保持部３１１が接続されたとき、ボディ側接続端子ＢＰ１は保持部３１１の電気接点と共に電源線Ｖ３３を構成する。また、保持部１１１にボディアダプタ３００の保持部３１１が接続されたとき、ボディ側接続端子ＢＰ２は保持部３１１の電気接点と共に電源線ＧＮＤを構成する。
【００６７】
保持部１１１には、ボディ側接続端子ＢＰ１およびＢＰ２の他にもう一対の電源線用のボディ側接続端子ＢＰ１１およびＢＰ１２を備える。ボディ側接続端子ＢＰ１１およびＢＰ１２は、第２電源回路１２１に接続されている。ボディ側接続端子ＢＰ１１は、ボディ側接続端子ＢＰ１２に対する接地端子である。第２電源回路１２１が供給する電力は、アクチュエータ等の電力消費が大きい電気回路に用いられる。ボディ側接続端子ＢＰ１１を流れる電流の最大値と最小値との差は、ボディ側接続端子ＢＰ２を流れる電流の最大値と最小値との差よりも大きい。
【００６８】
保持部１１１にボディアダプタ３００の保持部３１１が接続されたとき、ボディ側接続端子ＢＰ１２は保持部３１１のボディアダプタ側接続端子ＢＡＰ１２と共に電源線ＢＡＴを構成する。また、保持部１１１にボディアダプタ３００の保持部３１１が接続されたとき、ボディ側接続端子ＢＰ１１は保持部３１１のボディアダプタ側接続端子ＢＡＰ１１と共に電源線ＰＧＮＤを構成する。
【００６９】
ボディ側接続端子ＢＰ３，ＢＰ４，ＢＰ５，およびＢＰ６と、ボディアダプタ側接続端子ＢＡＰ３，ＢＡＰ４，ＢＡＰ５，およびＢＡＰ６とは、コマンドデータ通信と称するデータ通信を行うための電気接点である。ボディ側接続端子ＢＰ３，ＢＰ４，ＢＰ５，およびＢＰ６は、ボディ側第１通信部１１７に接続されている。一方、ボディアダプタ側接続端子ＢＡＰ３，ＢＡＰ４，ＢＡＰ５，およびＢＡＰ６は、ボディアダプタ側第１通信部３１４に接続されている。
【００７０】
ボディ側第１通信部１１７は、ボディ側接続端子ＢＰ３およびＢＰ４を介して電気信号を、ボディアダプタ側接続端子ＢＡＰ３およびＢＡＰ４に向けて送信する。ボディアダプタ側第１通信部３１４は、ボディアダプタ側接続端子ＢＡＰ３およびＢＡＰ４を介して、これらの電気信号を受信する。ボディ側第１通信部１１７は、ボディ側接続端子ＢＰ５およびＢＰ６を介して、ボディアダプタ側接続端子ＢＡＰ５およびＢＡＰ６から送信される電気信号を受信する。
【００７１】
保持部１１１にボディアダプタ３００の保持部３１１が接続されたとき、ボディ側接続端子ＢＰ３，ＢＰ４，ＢＰ５，およびＢＰ６は、保持部３１１のボディアダプタ側接続端子ＢＡＰ３，ＢＡＰ４，ＢＡＰ５，およびＢＡＰ６と共に信号線ＣＬＫ，ＤＡＴＡＢ，ＤＡＴＡＬ，およびＲＤＹをそれぞれ構成する。
【００７２】
ボディ側接続端子ＢＰ６は、カメラボディ１００内においてプルアップ抵抗Ｒ２を介して電源Ｖｃｃ（例えば、５Ｖ）に接続されている。すなわち、ボディ側接続端子ＢＰ６はプルアップされている。他方、ボディアダプタ側接続端子ＢＡＰ６は、ボディアダプタ３００内においてスイッチＳＷ１およびプルダウン抵抗Ｒ３を介して接地されている。ボディアダプタ側接続端子ＢＡＰ６は、スイッチＳＷ１がオン状態のとき、プルダウンされる。スイッチＳＷ１は、ＮＣ（Ｎｏｒｍａｌｌｙ  Ｃｌｏｓｅｄ）接点を有するスイッチであって、そのオン／オフはボディアダプタ側第１通信部３１４により制御される。
【００７３】
プルアップ抵抗Ｒ２およびプルダウン抵抗Ｒ３の抵抗値は、ボディアダプタ３００にカメラボディ１００が取り付けられ且つボディアダプタ側第１通信部３１４によるデータ通信が行われていない場合に、ボディ側接続端子ＢＰ６の信号レベルが真理値Ｌに対応する信号レベル（例えば０．８Ｖ以下の信号レベル）になるよう定められる。例えば、Ｒ２＝１０ｋΩ、Ｒ３＝１００Ωである。
【００７４】
また、ボディ側マウント部１０１にボディアダプタ３００が取り付けられていない場合には、ボディ側接続端子ＢＰ６の信号レベルが真理値Ｈに対応する信号レベル（例えば２．０Ｖ以上）になる。これは、ボディ側接点ＢＰ６がプルアップされていることによる。
【００７５】
ボディ側接続端子ＢＰ７，ＢＰ８，ＢＰ９，およびＢＰ１０と、ボディアダプタ側接続端子ＢＡＰ７，ＢＡＰ８，ＢＡＰ９，およびＢＡＰ１０とは、ホットライン通信と称するデータ通信を行うための電気接点である。ボディ側接続端子ＢＰ７，ＢＰ８，ＢＰ９，およびＢＰ１０は、ボディ側第２通信部１１８に接続されている。一方、ボディアダプタ側接続端子ＢＡＰ７，ＢＡＰ８，ＢＡＰ９，およびＢＡＰ１０は、ボディアダプタ側第２通信部３１５に接続されている。
【００７６】
ボディ側第２通信部１１８は、ボディ側接続端子ＢＰ７およびＢＰ９を介して電気信号を、ボディアダプタ側接続端子ＢＡＰ７およびＢＡＰ９に向けて送信する。ボディアダプタ側第２通信部３１５は、ボディアダプタ側接続端子ＢＡＰ７およびＢＡＰ９を介して、これらの電気信号を受信する。ボディ側第２通信部１１８は、ボディ側接続端子ＢＰ８およびＢＰ１０を介して、ボディアダプタ側接続端子ＢＡＰ８およびＢＡＰ１０から送信される電気信号を受信する。
【００７７】
保持部１１１にボディアダプタ３００の保持部３１１が接続されたとき、ボディ側接続端子ＢＰ７，ＢＰ８，ＢＰ９，およびＢＰ１０は、保持部３１１のボディアダプタ側接続端子ＢＡＰ７，ＢＡＰ８，ＢＡＰ９，およびＢＡＰ１０と共に信号線ＨＲＥＱ，ＨＡＮＳ，ＨＣＬＫ，およびＨＤＡＴＡＬをそれぞれ構成する。
【００７８】
ボディ側第１通信部１１７およびボディアダプタ側第１通信部３１４は、各電気接点から入力される電気信号の信号レベルが所定の基準レベル（例えば２．０Ｖ）以上であった場合に、当該入力信号が真理値「真」（１、Ｈ、Ｈｉｇｈ等とも称する）を表していると判断する。また、各接点から入力される信号の信号レベルが上記の基準レベルとは別個に設定される所定の基準レベル（例えば０．８Ｖ）以下であった場合に、当該入力信号が真理値「偽」（０、Ｌ、Ｌｏｗ等とも称する）を表していると判断する。ボディ側第２通信部１１８およびボディアダプタ側第２通信部３１５についても同様である。
【００７９】
（第２マウント部３０２および光通信部３１２）
ボディアダプタ３００は、光通信部３１２に４個の送信用光通信端子３０６と、４個の受信用光通信端子３０７とを備える。４個の送信用光通信端子３０６はそれぞれ、コマンドデータ通信用の信号線ＣＬＫおよび信号線ＤＡＴＡＢと、ホットライン通信用の信号線ＨＲＥＱおよび信号線ＨＣＬＫとに対応している。４個の受信用光通信端子３０７はそれぞれ、コマンドデータ通信用の信号線ＤＡＴＡＬおよび信号線ＲＤＹと、ホットライン通信用の信号線ＨＡＮＳおよび信号線ＨＤＡＴＡＬとに対応している。
【００８０】
図６（ａ）は、ボディアダプタ３００を第２マウント部側から見た正面図である。図６（ｂ）は、図６（ａ）のＣ１断面図である。図６（ｃ）は、図６（ａ）のＣ２断面図である。図６（ｄ）は、図６（ａ）のＣ３断面図である。
【００８１】
図６（ａ）に図示されるように、ボディアダプタ３００は、第２マウント部３０２と、光通信部３１２と、ワイパ３０３と、ロック穴３０４とを備える。図６（ａ）の左右に図示された二つの第２マウント部３０２は、図６（ｂ）および（ｃ）の断面図に図示するように溝部３０５をそれぞれ備える。溝部３０５の各々には、図６（ａ）下方（図６（ｂ）〜（ｄ）では紙面垂直方向）から耐環境レンズ２００の突出部（後述）がスライドさせるように挿入される。溝部３０５に突出部が所定量挿入されると、ロック穴３０４に耐環境レンズ２００のロックピン（後述）が挿入される。耐環境レンズ２００は、ロック穴３０４および溝部３０５により位置決めされる。具体的には、耐環境レンズ２００は、溝部３０５により図６（ａ）横方向および紙面垂直方向への動きが規制され、ロック穴３０４により図６（ａ）縦方向および横方向への動きが規制される。すなわち、ロック穴３０４にロックピンが挿入されたとき、耐環境レンズ２００は第２マウント部３０２に装着された状態となる。なお、レンズアダプタ５００も、耐環境レンズ２００と同様にして装着される。
【００８２】
図６（ａ）では、光通信部３１２が２列図示されている。２列の光通信部３１２には、それぞれ送信用光通信端子３０６と受信用光通信端子３０７が設けられている。
【００８３】
右列の光通信部３１２は、コマンドライン通信に用いられる。右列の光通信部３１２は、図６（ａ）下方から信号線ＲＤＹ、信号線ＤＡＴＡＬ、信号線ＤＡＴＡＢ、信号線ＣＬＫに接続されている。前述したように信号線ＲＤＹおよび信号線ＤＡＴＡＬに用いる光通信端子は、受信用光通信端子３０７である。信号線ＤＡＴＡＢおよび信号線ＣＬＫに用いる光通信端子は送信用光通信端子３０６である。
【００８４】
左列の光通信部３１２は、ホットライン通信と称される通信に用いられる。左列の光通信部３１２は、図６（ａ）下方から信号線ＨＲＥＱ、信号線ＨＡＮＳ、信号線ＨＣＬＫ、信号線ＨＤＡＴＡＬに接続されている。前述したように信号線ＨＡＮＳおよび信号線ＨＤＡＴＡＬに用いる光通信端子は、受信用光通信端子３０７である。信号線ＨＲＥＱおよび信号線ＨＣＬＫに用いる光通信端子は送信用光通信端子３０６である。
【００８５】
図６（ｂ）に示すように、ロック穴３０４の底部には装着検知部３０８を有する。装着検知部３０８は、例えば防水性を有する押し込み式のスイッチであって、ロック穴３０４に耐環境レンズ２００またはレンズアダプタ５００のロックピンが挿入されたときにそのロックピンにより押圧される。装着検知部３０８は、ロックピンによる押圧を検知して、耐環境レンズ２００またはレンズアダプタ５００が第２マウント部３０２に装着されたことを検出する。なお、ロック穴３０４には、ロックピン挿入時にロック穴３０４内部の水を外部に逃がす排水孔を備える。
【００８６】
図６（ａ）および（ｃ）に示すように、被写体光束通過部３１０および光通信部３１２は、強化ガラスなどの耐衝撃性の強い保護用光学部材３０９で覆われている。耐環境レンズ２００またはレンズアダプタ５００が溝部３０５に沿ってスライドしているとき、保護用光学部材３０９の外部環境に露出する表面に付着した水、泥等の異物は、耐環境レンズ２００またはレンズアダプタ５００に備わるワイパ（図６では不図示）により払拭される。
【００８７】
図６（ａ）および（ｄ）に示すワイパ３０３は、ボディアダプタ３００の表面と面一になるように収納可能であって、図６（ｄ）の上方向に付勢されている。ワイパ３０３は、耐環境レンズ２００またはレンズアダプタ５００が溝部３０５に沿ってスライドしているとき、耐環境レンズ２００またはレンズアダプタ５００の表面に密着して、その表面に付着した水、泥等の異物を払拭する。
【００８８】
（耐環境レンズ２００のレンズ側マウント部２０１および光通信部２１１）
図７（ａ）は、耐環境レンズ２００をレンズ側マウント部２０１側から見た正面図である。図７（ｂ）は、図７（ａ）のＤ１断面図である。図７（ｃ）は、図７（ａ）のＤ２断面図である。図７（ｄ）は、図７（ａ）のＤ３断面図である。
【００８９】
図７（ａ）に図示されるように、耐環境レンズ２００は、レンズ側マウント部２０１とロックピン２０２とワイパ２０３と光通信部２１１とを備える。図７（ａ）の左右に図示された二つのレンズ側マウント部２０１は、図７（ｂ）および（ｃ）の断面図に図示するように突出部２０４をそれぞれ備える。突出部２０４の各々は、図６（ａ）〜（ｃ）に図示された溝部３０５に挿入される。突出部２０４が溝部３０５にスライドされるように所定量挿入されると、ロックピン２０２が図６（ａ）および（ｂ）のロック穴３０４に挿入される。ロックピン２０２は、耐環境レンズ２００の内側に収納可能であって、図７（ａ）の紙面垂直方向（図７（ｃ）上方向）に付勢されている。ロック穴３０４に挿入されたロックピン２０２は、ロック穴３０４の装着検知部３０８を押圧する。
【００９０】
ロックピン２０２により装着検知部３０８が押圧されたとき、ボディアダプタ制御部３１３は、第２マウント部３０２に耐環境レンズ２００が装着されたことを、コマンドデータ通信またはホットライン通信を用いてカメラボディ１００に伝える。
【００９１】
図７（ａ）では、光通信部２１１が２列図示されている。２列の光通信部２１１には、それぞれ送信用光通信端子２０６と受信用光通信端子２０７が設けられている。
【００９２】
右列の光通信部２１１は、ホットライン通信に用いられる。右列の光通信部２１１は、図７（ａ）下方からＨＲＥＱ、ＨＡＮＳ、ＨＣＬＫ、ＨＤＡＴＡＬと称される信号線に接続されている。信号線ＨＡＮＳおよび信号線ＨＤＡＴＡＬに用いる光通信端子は、送信用光通信端子２０６である。信号線ＨＲＥＱおよび信号線ＨＣＬＫに用いる光通信端子は受信用光通信端子２０７である。
【００９３】
左列の光通信部２１１は、コマンドライン通信に用いられる。左列の光通信部２１１は、図７（ａ）下方からＲＤＹ、ＤＡＴＡＬ、ＤＡＴＡＢ、ＣＬＫと称される信号線に接続されている。信号線ＲＤＹおよび信号線ＤＡＴＡＬに用いる光通信端子は、送信用光通信端子２０６である。信号線ＤＡＴＡＢおよび信号線ＣＬＫに用いる光通信端子は受信用光通信端子２０７である。
【００９４】
図７（ａ）および（ｂ）に示すワイパ２０３は、耐環境レンズ２００の表面に面一となるように収納可能であって、図７（ｂ）の上方向に付勢されている。ワイパ２０３は、耐環境レンズ２００がボディアダプタ３００の溝部３０５に沿ってスライドしているとき、ボディアダプタ３００の保護用光学部材３０９の表面に密着する。そして、ワイパ２０３は、保護用光学部材３０９の表面に付着した水や泥などの異物を払拭する。
【００９５】
図７（ａ）および（ｄ）に示すように、耐環境レンズ２００の被写体光束通過部２０８および光通信部２１１は、強化ガラスなどの耐衝撃性の強い保護用光学部材２０９で密閉されている。耐環境レンズ２００が溝部３０５に沿ってスライドしているとき、保護用光学部材２０９の外部環境に露出する表面に付着した水、泥等の異物は、ボディアダプタ３００に備わるワイパ３０３（図６（ｃ）参照）により払拭される。
【００９６】
耐環境レンズ２００がボディアダプタ３００の第２マウント部３０２に装着されたとき、耐環境レンズ２００の左列の光通信部２１１とボディアダプタ３００の右列の光通信部３１２とは、互いに対面の位置に配置される。同様に、耐環境レンズ２００がボディアダプタ３００の第２マウント部３０２に装着されたとき、耐環境レンズ２００の右列の光通信部２１１とボディアダプタ３００の左列の光通信部３１２とは、互いに対面の位置に配置される。
【００９７】
図８（ａ）および（ｂ）は、ロックピン２０２がロック穴３０４に挿入されたときの耐環境レンズ２００とボディアダプタ３００との位置関係を図示したものである。図８（ａ）は、ロックピン２０２がロック穴３０４に挿入されたときにおける、図６（ａ）のＣ４断面と図７（ａ）のＤ４断面の位置関係を示す。図８（ｂ）は、ロックピン２０２がロック穴３０４に挿入されたときにおける、図６（ａ）のＣ２断面と図７（ａ）のＤ３断面の位置関係を示す。
【００９８】
図８（ａ）では、ボディアダプタ３００のワイパ３０３がボディアダプタ３００の内部に収納され、耐環境レンズ２００のワイパ２０３が耐環境レンズ２００の内部に収納されている。そして、耐環境レンズ２００の保護用光学部材２０９は、ボディアダプタ３００の保護用光学部材３０９に密着している。
【００９９】
図８（ａ）では、光通信部３１２の信号線ＲＤＹ用の受信用光通信端子３０７に対して、光通信部２１１の信号線ＲＤＹ用の送信用光通信端子２０６が保護用光学部材２０９および３０９を介在させて対面している。光通信部２１１の信号線ＲＤＹ用の送信用光通信端子２０６から送信された光信号が保護用光学部材を透過して光通信部３１２の信号線ＲＤＹ用の受信用光通信端子３０７により受信される。
【０１００】
光通信部３１２の信号線ＤＡＴＡＬ用の受信用光通信端子３０７に対して、光通信部２１１の信号線ＤＡＴＡＬ用の送信用光通信端子２０６が保護用光学部材２０９および３０９を介在させて対面している。光通信部２１１の信号線ＤＡＴＡＬ用の送信用光通信端子２０６から送信された光信号が保護用光学部材を透過して光通信部３１２の信号線ＤＡＴＡＬ用の受信用光通信端子３０７により受信される。
【０１０１】
光通信部３１２の信号線ＤＡＴＡＢ用の送信用光通信端子３０６に対して、光通信部２１１の信号線ＤＡＴＡＢ用の受信用光通信端子２０７が保護用光学部材２０９および３０９を介在させて対面している。光通信部３１２の信号線ＤＡＴＡＢ用の送信用光通信端子３０６から送信された光信号が保護用光学部材を透過して光通信部２１１の信号線ＤＡＴＡＢ用の受信用光通信端子２０７により受信される。
【０１０２】
光通信部３１２の信号線ＣＬＫ用の送信用光通信端子３０６に対して、光通信部２１１の信号線ＣＬＫ用の受信用光通信端子２０７が保護用光学部材２０９および３０９を介在させて対面している。光通信部３１２の信号線ＣＬＫ用の送信用光通信端子３０６から送信された光信号が保護用光学部材を透過して光通信部２１１の信号線ＣＬＫ用の受信用光通信端子２０７により受信される。
【０１０３】
図８（ａ）に示したようにコマンドライン通信用の信号線は、ボディアダプタ３００の光通信部３１２と、耐環境レンズ２００の光通信部２１１とを用いた光通信で中継される。なお、ホットライン通信用の信号線も、同様にボディアダプタ３００の光通信部３１２と、耐環境レンズ２００の光通信部２１１とを用いた光通信で中継される。
【０１０４】
図８（ｂ）では、ボディアダプタ３００の溝部３０５と耐環境レンズ２００の突出部２０４とが嵌合している。そして、光通信部３１２の信号線ＤＡＴＡＢ用の送信用光通信端子３０６に対して、光通信部２１１の信号線ＤＡＴＡＢ用の受信用光通信端子２０７が保護用光学部材２０９および３０９を介在させて対面している。また、光通信部３１２の信号線ＨＣＬＫ用の受信用光通信端子３０７に対して、光通信部２１１の信号線ＨＣＬＫ用の送信用光通信端子２０６が保護用光学部材２０９および３０９を介在させて対面している。さらに、ボディアダプタ３００の被写体光束通過部３１０と耐環境レンズ２００の被写体光束通過部２０８とは、保護用光学部材２０９および３０９を介在させて対面している。
【０１０５】
図６（ａ）に図示されるように信号線ＲＤＹに対応した受信用光通信端子３０７は、信号線ＣＬＫ、信号線ＤＡＴＡＢ、信号線ＤＡＴＡＬに対応した光通信端子よりもワイパ３０３に近い位置に設置されている。同様に、信号線ＨＲＥＱに対応した送信用光通信端子３０６は、信号線ＨＤＡＴＡＬ、信号線ＨＣＬＫ、信号線ＨＡＮＳに対応した光通信端子よりもワイパ３０３に近い位置に設置されている。そして、図７（ａ）に図示されるように信号線ＲＤＹに対応した送信用光通信端子２０６は、信号線ＣＬＫ、信号線ＤＡＴＡＢ、信号線ＤＡＴＡＬに対応した光通信端子よりもワイパ２０３から離れた位置に設置されている。同様に、信号線ＨＲＥＱに対応した受信用光通信端子２０７は、信号線ＨＤＡＴＡＬ、信号線ＨＣＬＫ、信号線ＨＡＮＳに対応した光通信端子よりもワイパ２０３から離れた位置に設置されている。すなわち、第２マウント部３０２にレンズ側マウント部２０１が装着されるとき、コマンドデータ通信用の通信端子のうち信号線ＲＤＹに対応する通信端子が最後に通信可能状態となるように配置されている。そして、第２マウント部３０２にレンズ側マウント部２０１が装着されるとき、ホットライン通信用の通信端子のうち信号線ＨＲＥＱに対応する通信端子が最後に通信可能状態となるように配置されている。
【０１０６】
（コマンドデータ通信）
カメラボディ１００のボディ側第１通信部１１７は、ボディアダプタ３００を介して、耐環境レンズ２００のレンズ側第１通信部２３７との間でコマンドデータ通信を行う。このデータ通信は、例えば１６ミリ秒毎に繰り返し行われる。またこのデータ通信では、ボディ側第１通信部１１７からの制御データの受信とボディ側第１通信部１１７への応答データの送信とが並行して行われる。
【０１０７】
図９は、コマンドデータ通信における電気信号の例を示すタイミングチャートである。ボディ側第１通信部１１７およびレンズ側第１通信部２３７がデータ通信を行っていない場合（図９の時刻Ｔ１より前）、信号線ＲＤＹの電気信号レベルは、真理値Ｌに対応する信号レベルとなっている。
【０１０８】
ボディ側第１通信部１１７はコマンドデータ通信の開始時（Ｔ１）、まず信号線ＲＤＹの信号レベルを確認する。信号線ＲＤＹの信号レベルはレンズ側第１通信部２３７の通信可否を表している。すなわち、レンズ側第１通信部２３７は、信号線ＲＤＹに対応した送信用光通信端子２０６に、レンズ側第１通信部２３７がデータ通信を行える状態か否かを表す光信号を送信する。ボディアダプタ３００は、信号線ＲＤＹに対応した受信用光通信端子３０７でその光信号を受信して、電気信号に変換する。レンズ側第１通信部２３７がデータ通信を行えない状態であれば、その電気信号の信号レベルはＨ（Ｈｉｇｈ）レベルとなる。ボディ側第１通信部１１７は、ボディ側接続端子ＢＰ６において信号線ＲＤＹがＨレベルである場合、これがＬレベルになるまで通信を開始しない。また、通信中の次の処理を実行しない。
【０１０９】
信号線ＲＤＹがＬ（Ｌｏｗ）レベルであれば、ボディ側第１通信部１１７は、クロック信号１００１をボディ側接続端子ＢＰ３から信号線ＣＬＫに出力する。さらにボディ側第１通信部１１７は、このクロック信号１００１に同期して、制御データの前半部分であるボディ側コマンドパケット信号１００２を、ボディ側接続端子ＢＰ４から信号線ＤＡＴＡＢに出力する。
【０１１０】
ボディアダプタ３００は、クロック信号１００１を光信号に変換して、信号線ＣＬＫに対応した送信用光通信端子３０６から、クロック信号１００１に対応した光信号を、耐環境レンズ２００に向けて送信する。さらに、ボディアダプタ３００は、ボディ側コマンドパケット信号１００２を光信号に変換して、信号線ＤＡＴＡＢに対応した送信用光通信端子３０６から、ボディ側コマンドパケット信号１００２に対応した光信号を、耐環境レンズ２００に向けて送信する。
【０１１１】
クロック信号１００１に対応した光信号を受信したレンズ側第１通信部２３７は、そのクロック信号１００１に同期して、信号線ＤＡＴＡＬに対応した送信用光通信端子２０６から応答データの前半部分であるレンズ側コマンドパケット信号（光信号）を出力する。ボディアダプタ３００は、このレンズ側コマンドパケット信号（光信号）を電気信号によるレンズ側コマンドパケット信号１００３に変換して、そのレンズ側コマンドパケット信号１００３をボディアダプタ側接続端子ＢＡＰ５を介してカメラボディ１００に向けて出力する。
【０１１２】
さらに、レンズ側第１通信部２３７は、レンズ側コマンドパケット信号（光信号）の送信完了に応じて、Ｈレベルの電気信号に対応する光信号を、信号線ＲＤＹに対応した送信用光通信端子２０６から送信する。ボディアダプタ３００は、その光信号を電気信号に変換して、信号線ＲＤＹをＨレベルにする（Ｔ２）。レンズ制御部２２３は、ボディアダプタ３００を介して受信したボディ側コマンドパケット信号１００２の内容に応じた処理である第１制御処理１００４を開始する。例えばボディ側コマンドパケット信号１００２が特定のデータを要求する内容であった場合、レンズ制御部２２３は第１制御処理１００４として、当該データを生成する処理を実行する。
【０１１３】
レンズ制御部２２３は第１制御処理１００４が完了すると、レンズ側第１通信部２３７に第１制御処理１００４の完了を通知する。レンズ側第１通信部２３７はこの通知に応じて、Ｌレベルの電気信号に対応する光信号を、信号線ＲＤＹに対応した送信用光通信端子２０６から送信する。ボディアダプタ３００は、その光信号を電気信号に変換して、信号線ＲＤＹをＬレベルにする（Ｔ３）。ボディ側第１通信部１１７はこの信号レベルの変化に応じて、ボディ側接続端子ＢＰ３からクロック信号１００５を出力する。ボディ側第１通信部１１７はこのクロック信号１００５に同期して、ボディ側接続端子ＢＰ４から制御データの後半部分であるボディ側データパケット信号１００６を出力する。
【０１１４】
ボディアダプタ３００は、クロック信号１００５を光信号に変換して、信号線ＣＬＫに対応した送信用光通信端子３０６から、クロック信号１００５に対応した光信号を、耐環境レンズ２００に向けて送信する。さらに、ボディアダプタ３００は、ボディ側データパケット信号１００６を光信号に変換して、信号線ＤＡＴＡＢに対応した送信用光通信端子３０６から、ボディ側データパケット信号１００６に対応した光信号を、耐環境レンズ２００に向けて送信する。
【０１１５】
クロック信号１００５に対応した光信号を受信したレンズ側第１通信部２３７は、そのクロック信号１００５に同期して、信号線ＤＡＴＡＬに対応した送信用光通信端子２０６から応答データの後半部分であるレンズ側コマンドパケット信号（光信号）を出力する。ボディアダプタ３００は、このレンズ側コマンドパケット信号（光信号）を電気信号によるレンズ側データパケット信号１００７に変換して、そのレンズ側データパケット信号１００７を、ボディアダプタ側接続端子ＢＡＰ５を介してカメラボディ１００に向けて出力する。
【０１１６】
さらに、レンズ側第１通信部２３７は、レンズ側コマンドパケット信号（光信号）の送信完了に応じて、Ｈレベルの電気信号に対応する光信号を、信号線ＲＤＹに対応した送信用光通信端子２０６から送信する。ボディアダプタ３００は、その光信号を電気信号に変換して、信号線ＲＤＹをＨレベルにする（Ｔ４）。レンズ制御部２２３は、ボディアダプタ３００を介して受信したボディ側データパケット信号１００６の内容に応じた処理である第２制御処理１００８を開始する。例えばボディ側コマンドパケット信号１００２が、フォーカシングレンズ２２０ｂの駆動指示であり、受信したボディ側データパケット信号１００６がフォーカシングレンズ２２０ｂの駆動量であった場合、レンズ制御部２２３は第２制御処理１００８として、フォーカシングレンズ２２０ｂを当該駆動量だけ駆動する処理を実行する。
【０１１７】
レンズ制御部２２３は第２制御処理１００８が完了すると、レンズ側第１通信部２３７に第２制御処理１００８の完了を通知する。レンズ側第１通信部２３７はこの通知に応じて、Ｌレベルの電気信号に対応する光信号を、信号線ＲＤＹに対応した送信用光通信端子２０６から送信する。ボディアダプタ３００は、その光信号を電気信号に変換して、信号線ＲＤＹをＬレベルにする（Ｔ５）。
【０１１８】
上述した時刻Ｔ１から時刻Ｔ５までの期間に行われた通信が、１回のコマンドデータ通信である。上述のように、１回のコマンドデータ通信では、ボディ制御部１０３およびボディ側第１通信部１１７により、ボディ側コマンドパケット信号１００２およびボディ側データパケット信号１００６がそれぞれ一つずつ送信される。すなわち、処理の都合上二つに分割されて送信されるものの、ボディ側コマンドパケット信号１００２およびボディ側データパケット信号１００６は二つ合わせて一つの制御データを構成する。
【０１１９】
同様に、１回のコマンドデータ通信では、レンズ制御部２２３およびレンズ側第１通信部２３７によりレンズ側コマンドパケット信号１００３およびレンズ側データパケット信号１００７がそれぞれ一つずつ送信される。すなわち、レンズ側コマンドパケット信号１００３およびレンズ側データパケット信号１００７は二つ合わせて一つの応答データを構成する。
【０１２０】
以上のように、レンズ側第１通信部２３７は、ボディアダプタ３００を介して、ボディ側第１通信部１１７からの制御データの受信と、ボディ側第１通信部１１７への応答データの送信とを並行して行う。
【０１２１】
上述したように、コマンドデータ通信に用いられる四つの信号線（ＣＬＫ、ＢＤＡＴ、ＬＤＡＴ、ＲＤＹ）には、レンズ側第１通信部２３７およびボディ側第１通信部１１７により種々の信号が出力される。図９を参照すれば明らかなとおり、これらの信号線のうちで信号レベルの変化が最も少ない信号線は、信号線ＲＤＹである。すなわち、レンズ側第１通信部２３７は、ボディアダプタ３００を介したカメラボディ１００とのコマンドデータ通信において、信号線ＲＤＹの信号レベルの変化が最も少なくなるよう出力する光信号を制御する。
【０１２２】
なお、上述した第１制御処理１００４および第２制御処理１００８に関しては、徒にカメラ全体の処理が滞らないよう、それらの制御処理に要する時間に対して、所定の規定（制限／上限）時間が、レンズ制御部２２３のメモリ内に予め設けられている。コマンドデータ通信において、耐環境レンズ２００で行われる制御処理（作業）は、通常（耐環境レンズ２００が正常動作している場合）であれば、約数百マイクロ秒〜数ミリ秒程度で終えるよう構成されている。このため上記の規定時間として、コマンドデータ通信における耐環境レンズ２００側での作業時間に、ある程度のマージン時間を加えた時間が、設定されている。本実施形態では、この規定時間として、例えば、数１０ミリ秒〜数１００ミリ秒の範囲の中で、適切な値にチューニングされている。つまり、レンズ制御部２２３は、図９に示した期間Ｔ２３およびＴ４５が上記の規定時間を上回らないように制御する。換言すると、レンズ側第１通信部２３７は、レンズ側マウント部２０１にボディアダプタ３００が取り付けられている間は、信号線ＲＤＹの信号レベルが上記の規定時間以上連続して真理値Ｈに対応する信号レベルにならないように信号線ＲＤＹに対応する送信用光通信端子２０６から出力する光信号を制御する。
【０１２３】
（ホットライン通信）
カメラボディ１００のボディ側第２通信部１１８は、ボディアダプタ３００を介して、耐環境レンズ２００のレンズ側第２通信部２３８との間でホットライン通信を行う。ホットライン通信では、耐環境レンズ２００からカメラボディ１００に向けて、ボディアダプタ３００を介してフォーカシングレンズ２２０ｂに関するレンズ位置データを送信する。
【０１２４】
図１０は、ホットライン通信の例を示すタイミングチャートである。本実施形態のボディ制御部１０３は、ホットライン通信を第２の所定周期Ｔｎ（本実施形態では例えば１ミリ秒）毎に開始するように構成されている。この周期は、コマンドデータ通信を行う周期よりも短い。図１０（ａ）は、ホットライン通信が所定周期Ｔｎ毎に繰り返し実行されている様子を示す図である。繰り返し実行されるホットライン通信のうち、ある１回の通信の期間Ｔｘを拡大した様子が図５（ｂ）に示されている。以下、図５（ｂ）のタイミングチャートに基づいて、ホットライン通信の手順を説明する。
【０１２５】
ボディ側第２通信部１１８はホットライン通信の開始する際（Ｔ６）、まずボディ側接続端子ＢＰ７からＬレベルの信号を出力する。ボディアダプタ３００は、Ｌレベルの信号に対応する光信号を、信号線ＨＲＥＱに対応する送信用光通信端子３０６から耐環境レンズ２００に向けて出力する。レンズ制御部２２３はこの光信号を信号線ＨＲＥＱに対応する受信用光通信端子２０７を用いて受信したとき、レンズ位置データを生成する生成処理１１０１の実行を開始する。生成処理１１０１とは、レンズ制御部２２３がレンズ位置検出部２３３にフォーカシングレンズ２２０ｂの位置を検出させ、検出結果を表すレンズ位置データを生成する処理である。
【０１２６】
レンズ制御部２２３が生成処理１１０１を実行完了したとき、レンズ側第２通信部２１８は信号線ＨＡＮＳに対応する送信用光通信端子２０６からＬレベルの電気信号に対応する光信号を送信する（Ｔ７）。ボディアダプタ３００は、その光信号を信号線ＨＡＮＳに対応する受信用光通信端子２０７を介して受信すると、その光信号を電気信号に変換して、信号線ＨＡＮＳをＬレベルにする。
【０１２７】
ボディ側第２通信部１１８は、信号線ＨＡＮＳがＬレベルとなったことに応じて、ボディ側接続端子ＢＰ９からクロック信号１１０２を出力する。ボディアダプタ３００は、ボディアダプタ側接続端子ＢＡＰ９を介して受信したクロック信号１１０２を光信号に変換して、そのクロック信号１１０２に対応する光信号を、信号線ＨＣＬＫに対応する送信用光通信端子３０６から耐環境レンズ２００に向けて送信する。
【０１２８】
クロック信号１１０２に対応する光信号を受信したレンズ側第２通信部２１８は、このクロック信号１１０２に同期して、レンズ位置データを表すレンズ位置データ信号（光信号）を、信号線ＨＤＡＴＡＬに対応する送信用光通信端子２０６から出力する。ボディアダプタ３００は、そのレンズ位置データ信号（光信号）を電気信号に変換して、レンズ位置データ信号１１０３を保持部３１１のボディアダプタ接続端子ＢＡＰ１０からカメラボディ１００に向けて送信する。
【０１２９】
レンズ側第２通信部２１８は、レンズ位置データ信号（光信号）の送信が完了すると、信号線ＨＡＮＳに対応する送信用光通信端子２０６からＨレベルの電気信号に対応する光信号を送信する（Ｔ８）。ボディアダプタ３００は、その光信号を信号線ＨＡＮＳに対応する受信用光通信端子２０７を介して受信すると、その光信号を電気信号に変換して、信号線ＨＡＮＳをＨレベルにする。ボディ側第２通信部１１８は、信号線ＨＡＮＳがＨレベルとなったことに応じて、ボディ側接点ＢＰ７からＨレベルの信号を出力する（Ｔ９）。
【０１３０】
上述した時刻Ｔ６から時刻Ｔ９までの期間に行われた通信が、１回のホットライン通信である。上述のように、１回のホットライン通信では、レンズ制御部２２３およびレンズ側第２通信部２１８により、レンズ位置データ信号１１０３が一つ送信される。
【０１３１】
ホットライン通信に用いられる四つの信号線（ＨＲＥＱ，ＨＡＮＳ，ＨＣＬＫ，ＨＤＡＴＡＬ）には、レンズ側第２通信部２３８およびボディ側第２通信部１１８により種々の信号が出力される。これらの信号線における信号レベルの変化は、コマンドデータ通信に用いられる信号線ＲＤＹよりも多くなる。これは、ホットライン通信がコマンドデータ通信に比べてより短い周期で実行されるためである。
【０１３２】
例えばコマンドデータ通信が１６ミリ秒毎に、ホットライン通信が１ミリ秒毎にそれぞれ実行されるとしたとき、信号線ＲＤＹの信号レベルの変化は１６ミリ秒につき４回となる。他方、ホットライン通信は例えば１ミリ秒毎に実行され、例えば信号線ＨＲＥＱ、ＨＡＮＳにおける１回の通信当たりの信号レベルの変化はそれぞれ２回であるので、１６ミリ秒につき信号レベルがそれぞれ３２回変化することとなる。
【０１３３】
なお、コマンドデータ通信とホットライン通信は同時並行的に実行することが可能である。すなわち、レンズ側第１通信部２３７とレンズ側第２通信部２３８との一方は、その他方がボディアダプタ３００を介してカメラボディ１００と通信を行っている場合であっても、ボディアダプタ３００を介してカメラボディ１００と通信を行うことが可能である。ボディアダプタ３００も、コマンドデータ通信用の信号変換とホットライン通信用の信号変換とを同時並行的に実行することが可能である。
【０１３４】
（耐環境レンズ２００等の装着判定処理）
図１１は、耐環境レンズ２００等がボディアダプタ３００の第２マウント部３０２に装着されたことを検出する処理に関するフローチャートの一例である。
ステップＳ７５１では、ボディ制御部１０３は、ボディアダプタ３００が装着されているか否かを判定する。具体的には、ボディ制御部１０３は、信号線ＲＤＹがＬレベルか否かを判定する。カメラボディ１００のボディ側マウント部１０１にボディアダプタ３００が装着されていないとき、信号線ＲＤＹはプルアップされているため、ステップＳ７５１は否定判定される。カメラボディ１００のボディ側マウント部１０１にボディアダプタ３００が装着されたとき、ＮＣ接点のＳＷ１とプルダウン抵抗Ｒ３を介して、信号線ＲＤＹがプルダウンされてＬレベルとなって、ステップＳ７５１が肯定判定される。ボディ制御部１０３は、ステップＳ７５１が否定判定されている間はステップＳ７５１を繰り返し、ステップＳ７５１が肯定判定されたときステップＳ７５２に処理を進める。
【０１３５】
ステップＳ７５２では、ボディ制御部１０３は、少なくともボディ側接続端子ＢＰ１およびＢＰ２を用いて、ボディアダプタ３００への電源供給を開始する。これにより、ボディアダプタ３００が動作状態となり、ボディアダプタ３００のボディアダプタ制御部３１３はステップＳ７０１の処理を開始する。
【０１３６】
ステップＳ７５３では、ボディ制御部１０３は、ボディアダプタ３００と通信を開始する。例えば、ボディ制御部１０３は、ボディ側接続端子ＢＰ３を介して信号線ＣＬＫにクロック信号を出力して、コマンドライン通信およびホットライン通信を開始する。
ステップＳ７０１では、ボディアダプタ制御部３１３は、カメラボディ１００との間で通信を開始するか否かを判定する。ボディアダプタ制御部３１３は、通信を開始するまでステップＳ７０１の処理を繰り返す。ボディ制御部１０３によるステップＳ７５３の処理によって、カメラボディ１００との間でコマンドライン通信およびホットライン通信を開始したとき、ステップＳ７０１は肯定判定される。ステップＳ７０１の処理が肯定判定されたとき、ボディアダプタ制御部３１３は、処理をステップＳ７０２に進める。
【０１３７】
ステップＳ７５４では、ボディ制御部１０３は、装着検知命令をボディアダプタに送信する。装着検知命令とは、ボディアダプタ３００に耐環境レンズ２００の装着検知を実行させるためのコマンドである。例えば、ボディ制御部１０３は、コマンドデータ通信を用いて装着検知命令に関するボディ側コマンドパケット信号をボディ側接続接点ＢＰ４を介して送信する。
【０１３８】
ステップＳ７０２では、ボディアダプタ制御部３１３は、装着検知命令が受信されたか否かを判定する。例えば、ステップＳ７５４で送信された装着検知命令に関するボディ側コマンドパケット信号をボディアダプタ側接続接点ＢＡＰ４を介して受信したか否かを判定する。ボディアダプタ制御部３１３は、ステップＳ７０２が否定判定されている間はステップＳ７０２の処理を繰り返し、ステップＳ７０２が肯定判定されたとき処理をステップＳ７０３に進める。
【０１３９】
ステップＳ７０３では、ボディアダプタ制御部３１３は、第２マウント部３０２に耐環境レンズ２００が装着されたか否かを判定する。例えば、ボディアダプタ制御部３１３は、装着検知部３０８が押圧されたか否かを判定する。ステップＳ７０３が否定判定されている間はステップＳ７０３の処理を繰り返し、ステップＳ７０３が肯定判定されたとき処理をステップＳ７０４に処理を進める。
【０１４０】
ステップＳ７０４では、ボディアダプタ制御部３１３は、カメラボディ１００に向けて装着検知信号を送信する。装着検知信号とは、耐環境レンズ２００が装着されたことを表す信号である。ボディアダプタ制御部３１３は、装着検知命令コマンドの応答データとして装着検知信号を送信してもよいし、ホットライン通信を用いて定期的に装着検知信号を送信しもよい。
ステップＳ７５５では、ボディ制御部１０３は、装着検知信号を受信したか否かを判定する。ボディ制御部１０３は、ステップＳ７５５が否定判定された場合はステップＳ７５５の処理を繰り返し、ステップＳ７５５が肯定判定された場合はステップＳ７５５の処理をステップＳ７５６に進める。
【０１４１】
ステップＳ７０５では、ボディアダプタ制御部３１３は、図１２に示すレンズ起動処理の実行を開始する。また、ボディ制御部１０３も、ステップＳ７５６において図１２に示すレンズ起動処理の実行を開始する。
【０１４２】
（レンズ起動処理）
図１２は、レンズ起動処理に関するフローチャートである。図１２の処理が開始した時点では、耐環境レンズ２００は、スリープ状態にある。スリープ状態にある耐環境レンズ２００は、レンズ駆動部２３２等は動作しないものの、レンズ制御部２２３、レンズ側第１通信部２３７等は動作可能な状態となっている。図１２の処理は、図１１のステップＳ７０５およびステップＳ７５６で実行されるだけでなく、例えばカメラシステムが画像再生モードから撮影モードに切り替わったときなどにも実行される。
【０１４３】
ステップＳ７６１では、ボディ制御部１０３は、耐環境レンズ２００を起動させるための起動信号をボディアダプタ３００に送信する。起動信号とは、耐環境レンズ２００をスリープ状態から動作状態に移行させ、耐環境レンズに初期化動作を開始させるための制御信号である。例えば、ボディ制御部１０３は、ボディ側接続端子ＢＰ３を介して信号線ＣＬＫにクロック信号を出力して、信号線ＤＡＴＡＢにボディ側コマンドパケット信号を出力する。
ステップＳ７１１では、ボディアダプタ制御部３１３は、起動信号を受信したか否かを判定する。ボディアダプタ制御部３１３は、ステップＳ７１１が否定判定されている間はステップＳ７１１を繰り返し、ステップＳ７１１が肯定判定された場合はステップＳ７１２に処理を進める。
【０１４４】
ステップＳ７１２では、ボディアダプタ制御部３１３は、ステップＳ７１１で受信した起動信号を、電気信号から光信号に変換して、耐環境レンズ２００に向けてそれらの光信号を送信する。以降、ボディアダプタ３００は、カメラボディ１００が送信した電気信号を光信号に変換して耐環境レンズ２００に送信し、耐環境レンズ２００が送信した光信号を電気信号に変換してカメラボディ１００に送信する中継処理を行う。
ステップＳ８１１では、レンズ制御部２２３は、起動信号を受信したか否かを判定している。レンズ制御部２２３は、ステップＳ８１１が否定判定されている間はステップＳ８１１を繰り返し、ステップＳ８１１が肯定判定された場合はステップＳ８１２に処理を進める。
ステップＳ８１２では、レンズ制御部２２３は、耐環境レンズ２００をスリープ状態から通常動作状態に移行する。
【０１４５】
ステップＳ８１３では、レンズ制御部２２３は、起動信号に対応する応答信号をボディアダプタ３００に送信する。例えば、レンズ制御部２２３は、ステップＳ８１１で信号線ＤＡＴＡＬに対応した送信用光通信端子２０６に応答信号（光信号）を送信する。
ステップＳ７１３では、ボディアダプタ制御部３１３は、ステップＳ８１３で耐環境レンズ２００が送信した応答信号を、光信号から電気信号に変換してカメラボディ１００に向けて送信する。
ステップＳ７６２では、ボディ制御部１０３は、応答信号を受信したか否かを判定する。ボディ制御部１０３は、ステップＳ７６２が否定判定されている間はステップＳ７６２を繰り返し、ステップＳ７６２が肯定判定された場合はステップＳ７６３に処理を進める。
【０１４６】
ステップＳ７６３では、ボディ制御部１０３は、ボディアダプタ３００を介した耐環境レンズ２００との通信を開始する処理を行う。レンズ制御部側でも、ステップＳ８１４において、ボディアダプタ３００を介したカメラボディ１００との通信を開始する処理を行う。このとき、ボディアダプタ制御部３１３は、カメラボディ１００から送信される電気信号を光信号に変換し、耐環境レンズ２００から送信される光信号を電気信号に変換している。これらの処理によりカメラボディ１００と耐環境レンズ２００との間でホットライン通信が開始される。
カメラボディ１００と耐環境レンズ２００との間の通信が開始された後、カメラボディ１００と耐環境レンズ２００とボディアダプタ３００とは、図１３に示す光学補正処理を開始する（ステップＳ８１５，ステップＳ７１５，ステップＳ７６４）。
【０１４７】
（光学補正処理）
図１３は、光学補正処理に関するフローチャートである。なお、図１３が開始した時点で、カメラボディ１００と耐環境レンズ２００との間では、ボディアダプタ３００を介した通信が確立されている。
【０１４８】
ステップＳ７７１では、ボディ制御部１０３は、コマンドデータ通信を用いて、ボディアダプタ３００に向けて情報要求信号を送信する。情報要求信号とは、耐環境レンズ２００に対してレンズ情報の送信を要求するための信号である。情報要求信号は、ステップＳ７２１において、ボディアダプタ３００により光信号に変換されて、耐環境レンズ２００に向けて送信される。
ステップＳ８２１では、レンズ制御部２２３は、光信号に変換された情報要求信号を受信する。
【０１４９】
ステップＳ８２２では、レンズ制御部２２３は、ＲＯＭ２３５に記憶されているレンズ情報を取得して、コマンドデータ通信を用いて、そのレンズ情報を含むデータ信号をボディアダプタ３００に向けて送信する。データ信号は、ステップＳ７２２において、ボディアダプタ３００により電気信号に変換されて、耐環境レンズ２００に向けて送信される。
ステップＳ７７２では、ボディ制御部１０３は、電気信号に変換されたデータ信号を受信してレンズ情報を取得する。
ステップＳ７７３では、ボディ制御部１０３は、ステップＳ７７２で取得したレンズ情報に基づいて収差や湾曲について補正を行う。
【０１５０】
ステップＳ７２３では、ボディアダプタ制御部３１３は、図１４に示す取り外し判定処理の実行を開始する。
ステップＳ７７４では、ボディ制御部１０３は、図１４に示す取り外し判定処理の実行を開始する。
【０１５１】
（耐環境レンズ２００の取り外し判定）
図１４は、耐環境レンズ２００の取り外し判定処理に関するフローチャートである。
ステップＳ７８１では、ボディ制御部１０３は、ボディアダプタ３００に向けて操作状況要求信号を送信する。装着状況要求信号とは、取り外し操作部材３１９が操作されたとき、その操作に関する信号を出力することをボディアダプタ３００に要求する信号である。
ステップＳ７３１では、ボディアダプタ制御部３１３は、その操作状況要求信号を受信したか否かを判定する。ボディアダプタ制御部３１３は、ステップＳ７３１が否定判定されている間はステップＳ７３１の処理を繰り返し、ステップＳ７３１が肯定判定された場合はステップＳ７３２に処理を進める。
【０１５２】
ステップＳ７３２では、ボディアダプタ制御部３１３は、取り外し操作部材３１９が操作されたか否かを判定する。ボディアダプタ制御部３１３は、ステップＳ７３２が否定判定されている間はステップＳ７３２の処理を繰り返し、ステップＳ７３２が肯定判定された場合はステップＳ７３３に処理を進める。
【０１５３】
ステップＳ７３３では、ボディアダプタ制御部３１３は、耐環境レンズ２００が第２マウント部３０２から取り外されたか否かを判定する。例えば、ボディアダプタ制御部３１３は、装着検知部３０８が押圧されていない状態となったか否かを判定する。ボディアダプタ制御部３１３は、ステップＳ７３３が否定判定されている場合は処理をステップＳ７３２に進め、ステップＳ７３３が肯定判定された場合はステップＳ７３４に処理を進める。
【０１５４】
ステップＳ７３４では、ボディアダプタ制御部３１３は、取外操作信号をカメラボディ１００に向けて送信する。取外操作信号とは、取り外し操作部材３１９が操作されたことを表す信号である。
ステップＳ７８２では、ボディ制御部１０３は、その取外操作信号を受信したか否かを判定する。ボディ制御部１０３は、ステップＳ７８２が否定判定されている間はステップＳ７８２の処理を繰り返し、ステップＳ７８２が肯定判定された場合はステップＳ７８３に処理を進める。
ステップＳ７８３では、ボディ制御部１０３は、耐環境レンズ２００との間の通信を切断する。
【０１５５】
（スリープ処理）
図１５は、耐環境レンズ２００が実行するスリープ処理に関するフローチャートである。
ステップＳ８３１では、レンズ制御部２２３は、カメラボディ１００からスリープ信号を受信したか否かを判定する。スリープ信号とは、耐環境レンズ２００をスリープ状態に移行させるための信号である。例えば、カメラボディ１００が表示装置１１４を用いて画像を再生する再生モードなど所定のモードに移行したときや、カメラボディ１００の電源がオフされるときなどにスリープ信号は耐環境レンズ２００に向けて送信される。レンズ制御部２２３は、ステップＳ８３１が否定判定された場合は処理をステップＳ８３２に進め、ステップＳ８３１が肯定判定された場合はステップＳ８３３に処理を進める。
【０１５６】
ステップＳ８３２では、レンズ制御部２２３は、カメラボディ１００との間の通信が断絶された状態が所定時間（例えば、１分）以上続いたか否かを判定する。例えば、カメラボディ１００の電源がオフになったとき、図１４のステップＳ７８３の処理により通信が切断されたときなどにステップＳ８３２の処理は肯定判定されることがある。
【０１５７】
ステップＳ８３３では、レンズ制御部２２３は、フォーカシングレンズ２２０ｂなどの被駆動部材を予め定められた初期位置へ駆動する。
ステップＳ８３４では、レンズ制御部２２３は、耐環境レンズ２００をスリープ状態に移行させる。
【０１５８】
―第２の実施の形態―
図１６（ａ）および（ｂ）は、本発明の第２の実施の形態によるカメラシステムの概略ブロック構成図である。図１６（ａ）に示すカメラシステム３および図１６（ｂ）に示すカメラシステム４は共にレンズ交換式であって、水中等、特殊な環境で撮影に対応している。カメラシステム３およびカメラシステム４は、ボディアダプタ３００がボディアダプタ６００に変更されている点が第１の実施の形態によるカメラシステム１およびカメラシステム２と異なる。図１６（ａ）および（ｂ）では、図１（ａ）および（ｂ）と同一の構成については同一の符号を付しており、第１の実施の形態で説明した内容についてはその説明を省略する。
【０１５９】
ボディアダプタ６００は、カメラボディ１００を保護する防水ケース６０１（ハウジングとも呼称されることがある）を備える点が異なる。カメラボディ１００は、防水ケース６０１に収納されることにより、第１マウント部３０１に装着された状態での密閉性が向上し、耐環境性能が向上する。
【０１６０】
カメラボディ１００は、防水ケース６０１に収納された状態でボディ側マウント部１０１にボディアダプタ６００の第１マウント部３０１を装着することができる。また、カメラボディ１００の背面等に設けられる表示装置は、その表示面を防水ケース６０１に収納された状態でも見ることができる。また、防水ケース６０１には、不図示の操作部材（レバー等、水圧の影響が少ない操作部材が好ましい）が設けられており、カメラボディ１００の操作に用いられる。
【０１６１】
（レンズアダプタ５００の構成）
図１７は、レンズアダプタ５００に関するブロック構成図である。レンズアダプタ５００は、バッテリ５１０と光通信部５１３と保持部５１４と第３電源回路５２０と第４電源回路５２１とを備える。
【０１６２】
バッテリ５１０は、第３電源回路５２０と第４電源回路５２１に接続されている。第３電源回路５２０は、カメラボディ１００の第１電源回路１２０と同様に、ＤＣ／ＤＣ変換回路やレギュレータなどで構成される。第３電源回路５２０は、電源線Ｖ３３および電源線ＧＮＤに対応する電気接点に電源を供給する。第４電源回路５２１は、カメラボディ１００の第２電源回路１２１と同様に、ＤＣ／ＤＣ変換回路やレギュレータなどで構成される。第４電源回路５２１は、電源線ＢＡＴおよび電源線ＰＧＮＤに対応する電気接点に電源を供給する。
【０１６３】
光通信部５１３は、送信用光通信端子２０６、受信用光通信端子２０７、送信用電圧変換部２１６、受信用電圧変換部２１７をそれぞれ四つ備えるが、図１７ではそれらを代表した一つずつが図示されている。
【０１６４】
光通信部５１３は、レンズアダプタ５００の第３マウント部５０３の近傍に設けられている。レンズアダプタ５００を第３マウント部５０３側から見た正面図は、実質的に図７（ａ）〜（ｄ）と同様である。レンズアダプタ５００の第３マウント部５０３は、図７（ａ）〜（ｄ）におおけるレンズ側マウント部２０１に相当する。
【０１６５】
保持部５１４は、図５の保持部１１１と同様に、電源線Ｖ３３、ＧＮＤ，ＰＧＮＤ、ＢＡＴにそれぞれ対応する４個のレンズアダプタ側接続端子と、信号線ＣＬＫ、ＤＡＴＡＢ、ＤＡＴＡＬ、ＲＤＹ、ＨＲＥＱ、ＨＡＮＳ、ＨＣＬＫ、ＨＤＡＴＡＬにそれぞれ対応する８個のレンズアダプタ側接続端子とを備える。
【０１６６】
レンズアダプタ５００では、第３電源回路５２０が図５の第１電源回路１２０に相当する。また、レンズアダプタ５００では、第４電源回路５２１が図５の第２電源回路１２１に相当する。図５のボディ側第１通信部１１７およびボディ側第２通信部１１８に相当するものは、レンズアダプタ５００には内蔵されておらず、光通信部５１３を介して接続されたボディアダプタ制御部３１３、ボディアダプタ側第１通信部３１４、ボディアダプタ側第２通信部３１５などがそれらに相当する。これは、レンズアダプタ５００がボディアダプタ３００と交換レンズ４００との間の伝送路を中継するだけであり、独自に交換レンズ４００と通信を行わないからである。
【０１６７】
光通信部５１３の４個の送信用電圧変換部２１６は、それぞれ信号線ＤＡＴＡＬ、ＲＤＹ、ＨＡＮＳ、ＨＤＡＴＡＬに接続されている。光通信部５１３の４個の受信用電圧変換部２１７は、それぞれ信号線ＣＬＫ、ＤＡＴＡＢ、ＨＲＥＱ、ＨＣＬＫに接続されている。
【０１６８】
（交換レンズ４００の構成）
図１８は、交換レンズ４００に関するブロック構成図である。図１８に示す交換レンズ４００は、レンズ制御部２２３および光通信部２１１の代わりにレンズ制御部４２３および保持部４１１を有すること、バッテリ２１０を備えないことを除けば耐環境レンズ２００と同一の構成をしている。
【０１６９】
保持部４１１は、図５の保持部３１１と同様に、電源線Ｖ３３、ＧＮＤ，ＰＧＮＤ、ＢＡＴにそれぞれ対応する４個のレンズ側接続端子と、信号線ＣＬＫ、ＤＡＴＡＢ、ＤＡＴＡＬ、ＲＤＹ、ＨＲＥＱ、ＨＡＮＳ、ＨＣＬＫ、ＨＤＡＴＡＬにそれぞれ対応する８個のレンズ側接続端子とを備える。図１８のレンズ第１通信部２３７が図５のボディアダプタ第１通信部３１４に相当する。図１８のレンズ側第２通信部２３８が図５のボディアダプタ第２通信部３１５に相当する。
【０１７０】
交換レンズ４００は、保持部４１１にレンズアダプタ５００の保持部５１４を接続することで、耐環境レンズ２００と同様の構成となる。すなわち、レンズアダプタ５００のバッテリ５１０が耐環境レンズ２００のバッテリ２１０に相当し、レンズアダプタ５００の光通信部５１３が耐環境レンズ２００の光通信部２１１に相当する。レンズ制御部４２３は、交換レンズ４００とレンズアダプタ５００の構成を利用することで、レンズ制御部２２３と同様の処理を行うことができる。例えば、図１２、図１３、図１５の処理においてレンズ制御部２２３が実行した処理を行うことができる。
【０１７１】
以上で説明した実施の形態によれば、以下の作用効果が得られる。
カメラシステム１は、カメラボディ１００と、交換レンズである耐環境レンズ２００と、アクセサリであるボディアダプタ３００とを備える。カメラシステム１は、水中を含む特殊な環境での撮影に対応している。
カメラボディ１００は、図１（ａ）に示すように、バッテリ１１０と、ボディ側マウント部１０１と、保持部１１１とを備える。ボディ側マウント部１０１は、ボディアダプタ３００が着脱可能に装着される。保持部１１１は、電気接点であるボディ側接続端子ＢＰ１〜ＢＰ１２を保持し、ボディ側マウント部１０１に接続されたボディアダプタ３００と電気信号の送受信を行う（図５）。
ボディアダプタ３００は、図１（ａ）に示すように、第１マウント部３０１と、第２マウント部３０２と、保持部３１１と、光通信部３１２とを備える。第１マウント部３０１は、ボディ側マウント部１０１が着脱可能に装着される。第２マウント部３０２は、耐環境レンズ２００が着脱可能に装着される。保持部３１１は、電気接点であるボディアダプタ側接続端子ＢＡＰ１〜ＢＡＰ１２を保持し、保持部１１１と電気信号の送受信を行う（図５）。光通信部３１２は、保持部３１１が受信した電気信号を光信号に変換して第２マウント部３０２に接続された耐環境レンズ２００に向けて当該光信号を出力すると共に、耐環境レンズ２００から入力された光信号を電気信号に変換して保持部３１１に向けて当該電気信号を出力する。
耐環境レンズ２００は、バッテリ２１０と、レンズ側マウント部２０１と、光通信部２１１と、を備える。レンズ側マウント部２０１には第２マウント部３０２が着脱可能に装着される。光通信部２１１は、光信号を用いて光通信部３１２と光通信を行う。
耐環境レンズ２００はバッテリ２１０から供給される電力で動作する。
カメラシステム１は、電磁誘導等を利用した電力供給を用いていないため、撮影画像にノイズを発生させるおそれが無く、水中などの特殊な環境で好適に利用することができる。
【０１７２】
カメラシステム２は、カメラボディ１００と、交換レンズ４００と、アクセサリであるボディアダプタ３００およびレンズアダプタ５００とを備える。カメラシステム２は、水中を含む特殊な環境での撮影に対応している。
カメラボディ１００は、図１（ｂ）に示すように、バッテリ１１０と、ボディ側マウント部１０１と、保持部１１１とを備える。ボディ側マウント部１０１は、ボディアダプタ３００が着脱可能に装着される。保持部１１１は、電気接点であるボディ側接続端子ＢＰ１〜ＢＰ１２を保持し、ボディ側マウント部１０１に接続されたボディアダプタ３００と電気信号の送受信を行う（図５）。
ボディアダプタ３００は、図１（ｂ）に示すように、第１マウント部３０１と、第２マウント部３０２と、保持部３１１と、光通信部３１２とを備える。第１マウント部３０１は、第１マウント部３０１が着脱可能に装着される。第２マウント部３０２は、レンズアダプタ５００が着脱可能に装着される。保持部３１１は、電気接点であるボディアダプタ側接続端子ＢＡＰ１〜ＢＡＰ１２を保持し、保持部１１１と電気信号の送受信を行う（図５）。光通信部３１２は、保持部３１１が受信した電気信号を光信号に変換して第２マウント部３０２に接続されたレンズアダプタ５００に向けて当該光信号を出力すると共に、レンズアダプタ５００から入力された光信号を電気信号に変換して保持部３１１に向けて当該電気信号を出力する。
レンズアダプタ５００は、図１（ｂ）に示すように、第３マウント部５０３と、第４マウント部５０４と、保持部５１４と、光通信部５１３と、バッテリ５１０とを備える。第３マウント部５０３は、第２マウント部３０２が着脱可能に装着される。第４マウント部５０４は、交換レンズ４００が着脱可能に装着される。保持部５１４は、電気接点を保持し、交換レンズ４００と電気信号の送受信を行う。光通信部５１３は、光通信部３１２から入力された光信号を電気信号に変換して保持部５１４に向けて当該電気信号を出力すると共に、保持部５１４が受信した電気信号を光信号に変換して第３マウント部５０３に接続されたボディアダプタ３００に向けて当該光信号を出力する。
交換レンズ４００は、図１（ｂ）に示すように、レンズ側マウント部４０１と、保持部４１１と、を備える。レンズ側マウント部４０１には、第４マウント部５０４が着脱可能に装着される。保持部４１１は、電気接点を保持し、保持部５１４と電気信号の送受信を行う。
交換レンズ４００は、レンズアダプタ５００のバッテリ５１０から供給される電力で動作する。
カメラシステム２は、電磁誘導等を利用した電力供給を用いていないため、撮影画像にノイズを発生させるおそれが無く、水中などの特殊な環境で好適に利用することができる。
【０１７３】
カメラシステム３は、カメラボディ１００と、交換レンズである耐環境レンズ２００と、アクセサリであるボディアダプタ６００とを備える。カメラシステム３は、水中を含む特殊な環境での撮影に対応している。
カメラボディ１００は、図１６（ａ）に示すように、バッテリ１１０と、ボディ側マウント部１０１と、保持部１１１とを備える。ボディ側マウント部１０１は、ボディアダプタ６００が着脱可能に装着される。保持部１１１は、電気接点であるボディ側接続端子ＢＰ１〜ＢＰ１２を保持し、ボディ側マウント部１０１に接続されたボディアダプタ６００と電気信号の送受信を行う。
ボディアダプタ６００は、図１６（ａ）に示すように、第１マウント部３０１と、第２マウント部３０２と、保持部３１１と、光通信部３１２とを備える。第１マウント部３０１は、第１マウント部３０１が着脱可能に装着される。第２マウント部３０２は、耐環境レンズ２００が着脱可能に装着される。保持部３１１は、電気接点であるボディアダプタ側接続端子ＢＡＰ１〜ＢＡＰ１２を保持し、保持部１１１と電気信号の送受信を行う。光通信部３１２は、保持部３１１が受信した電気信号を光信号に変換して第２マウント部３０２に接続された耐環境レンズ２００に向けて当該光信号を出力すると共に、耐環境レンズ２００から入力された光信号を電気信号に変換して保持部３１１に向けて当該電気信号を出力する。
耐環境レンズ２００は、バッテリ２１０と、レンズ側マウント部２０１と、光通信部２１１と、を備える。レンズ側マウント部２０１には第２マウント部３０２が着脱可能に装着される。光通信部２１１は、光信号を用いて光通信部３１２と光通信を行う。
耐環境レンズ２００はバッテリ２１０から供給される電力で動作する。
カメラシステム３は、電磁誘導等を利用した電力供給を用いていないため、撮影画像にノイズを発生させるおそれが無い。また、ボディアダプタ６００は、防水ケース６０１を備えており、カメラボディ１００の耐環境性能を向上させる。したがって、カメラシステム３を用いて水中などの特殊な環境で好適に利用することができる。
【０１７４】
カメラシステム４は、カメラボディ１００と、交換レンズ４００と、アクセサリであるボディアダプタ６００およびレンズアダプタ５００とを備える。カメラシステム４は、水中を含む特殊な環境での撮影に対応している。
カメラボディ１００は、図１６（ｂ）に示すように、バッテリ１１０と、ボディ側マウント部１０１と、保持部１１１とを備える。ボディ側マウント部１０１は、ボディアダプタ６００が着脱可能に装着される。保持部１１１は、電気接点であるボディ側接続端子ＢＰ１〜ＢＰ１２を保持し、ボディ側マウント部１０１に接続されたボディアダプタ６００と電気信号の送受信を行う（図５）。
ボディアダプタ６００は、図１６（ｂ）に示すように、第１マウント部３０１と、第２マウント部３０２と、保持部３１１と、光通信部３１２とを備える。第１マウント部３０１は、第１マウント部３０１が着脱可能に装着される。第２マウント部３０２は、レンズアダプタ５００が着脱可能に装着される。保持部３１１は、電気接点であるボディアダプタ側接続端子ＢＡＰ１〜ＢＡＰ１２を保持し、保持部１１１と電気信号の送受信を行う（図５）。光通信部３１２は、保持部３１１が受信した電気信号を光信号に変換して第２マウント部３０２に接続されたレンズアダプタ５００に向けて当該光信号を出力すると共に、レンズアダプタ５００から入力された光信号を電気信号に変換して保持部３１１に向けて当該電気信号を出力する。
レンズアダプタ５００は、図１（ｂ）に示すように、第３マウント部５０３と、第４マウント部５０４と、保持部５１４と、光通信部５１３と、バッテリ５１０とを備える。第３マウント部５０３は、第２マウント部３０２が着脱可能に装着される。第４マウント部５０４は、交換レンズ４００が着脱可能に装着される。保持部５１４は、電気接点を保持し、交換レンズ４００と電気信号の送受信を行う。光通信部５１３は、光通信部３１２から入力された光信号を電気信号に変換して保持部５１４に向けて当該電気信号を出力すると共に、保持部５１４が受信した電気信号を光信号に変換して第３マウント部５０３に接続されたボディアダプタ３００に向けて当該光信号を出力する。
交換レンズ４００は、図１（ｂ）に示すように、レンズ側マウント部４０１と、保持部４１１と、を備える。レンズ側マウント部４０１には、第４マウント部５０４が着脱可能に装着される。保持部４１１は、電気接点を保持し、保持部５１４と電気信号の送受信を行う。
交換レンズ４００は、レンズアダプタ５００のバッテリ５１０から供給される電力で動作する。
カメラシステム４は、電磁誘導等を利用した電力供給を用いていないため、撮影画像にノイズを発生させるおそれが無い。また、ボディアダプタ６００は、防水ケース６０１を備えており、カメラボディ１００の耐環境性能を向上させる。したがって、カメラシステム４を用いて水中などの特殊な環境で好適に利用することができる。
【０１７５】
以上で説明した実施の形態は、以下のように変形して実施できる。
（変形例１）ボディアダプタ３００および６００は、ボディアダプタ制御部３１３を備えているが、これを備えなくてもよい。例えば、ボディアダプタ３００を図１９のように構成してもよい。図１９では、保持部３１１のコマンドデータ通信およびホットライン通信用の各電気接点が光通信部３１２ａの対応する光通信端子にそれぞれ接続されている。また、光通信部３１２ａには、水没センサ３２０用の光通信端子が新たに設けられている。ボディアダプタを図１９のように構成した場合、ボディアダプタが水没したか否か、すなわちカメラシステムが水没したか否かの判定は、耐環境レンズ２００で行う。レンズアダプタ５００がレンズアダプタ制御部を新たに備える場合は、レンズアダプタでその判定を行ってもよい。なお、水没センサ３２０用の光通信端子を設ける代わりに耐環境レンズ２００およびレンズアダプタ５００に水没センサ３２０を設けることにしてもよい。なお、レンズアダプタ５００は、水没検知を行わない場合であっても、バッテリ５１０の残量検出処理等を行うために、レンズアダプタ制御部を備えることにしてもよい。
【０１７６】
（変形例２）レンズアダプタ５００は、第４マウント部５０４に装着された交換レンズ４００を保護する防水ケースを備えてもよい。交換レンズ４００は、その防水ケースに収納されることにより、第４マウント部５０４に装着された状態での密閉性が向上し、耐環境性能が向上する。
【０１７７】
（変形例３）
カメラボディ１００の保持部１１１に備わるボディ側接続端子は、図５に図示した構成だけに限定しない。例えば、図２０（ａ）のように、７個のボディ側接続端子を備える構成にしてもよい。保持部１１１を図２０（ａ）の構成とした場合、保持部３１１、保持部４１１、保持部５１４も同様の構成となる。ボディ側第１通信部１１７とボディ側第２通信部１１８は、適宜他の通信部に変更される。
【０１７８】
図２０（ａ）には、電源線ＶＣＣ５、ＢＡＴ、ＰＧＮＤに対応する電気接点と、信号線Ｒ／Ｗ、ＣＬＫ、ＤＡＴＡ、ＰＡＬＳに対応する電気接点とを備える。信号線Ｒ／Ｗに対応する電気接点と、信号線ＤＡＴＡに対応する電気接点（以降、ＤＡＴＡ端子と称する）は、電気信号の送信と受信の両方に用いられる。図２０（ｂ）には、送受信に対応した電気接点に対応する光通信端子の一構成例を示されている。送受信に対応した電気接点には、送信用光通信端子３０６（２０６）と受信用光通信端子３０７（２０７）とが対応付けられる。図２０（ａ）のＤＡＴＡ端子から電気接点Ｐ１に入力された電気信号は、送信用電圧変換部３１６で電圧変換されて、送信用光通信端子３０６にて光信号に変換されて出力される。一方、図２０（ｂ）の受信用光通信端子３０７に入力された光信号は電気信号に変換されて受信用電圧変換部３１７で電圧変換されて電気接点Ｐ１に入力される。ＤＡＴＡ端子は、電気接点Ｐ１からその電気信号を受信する。
【０１７９】
（変形例４）
図６（ａ）および図７（ａ）において光通信端子は２列に並べて設置されたが、光通信端子の配置は図６（ａ）および図７（ａ）の配置だけに限定しない。たとえば、１列に並べて配置してもよいし、光通信端子が等間隔に並ばないように配置してもよいし、送信用か受信用かで列を分けた配置としてもよい。また、図２１（ａ）および（ｂ）に示される第２マウント部３０２側から見たボディアダプタ３００の正面図のように配置することにしてもよい。図２１（ａ）では、信号線ＲＤＹ、信号ＨＲＥＱに対応する光通信端子が他の信号線用の光通信端子から外れた位置に配置されている。また、図２１（ｂ）では、第２マウント部３０２にレンズ側マウント部２０１や第３マウント部５０３が挿入される過程で、異なる信号線に対応する光通信端子同士が互いに対面しないように配置されている。なお、図２１（ａ）には水没センサ３２０用の送信用光通信端子３０６も図示されている。
【０１８０】
（変形例５）上記の実施の形態では、ボディアダプタ３００が凹形状の溝部３０５を備え、耐環境レンズ２００が凸形状の突出部２０４を備えていた。しかし、ボディアダプタ３００が凸形状の突出部を備え、耐環境レンズ２００が凹形状の溝部を備えることにしてもよい。ボディアダプタ３００が凸形状の突出部を備える場合、レンズアダプタ５００は耐環境レンズと同様に凹形状の溝部を備えることが望ましい。
【０１８１】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【０１８２】
１，２，３，４  カメラシステム
１００  カメラボディ
１０１  ボディ側マウント部
１０３  ボディ制御部
１１０，２１０，５１０  バッテリ
１１１，３１１，４１１，５１４  保持部
２００  耐環境レンズ（交換レンズ）
２０１  レンズ側マウント部
２０２  ロックピン
２０３  ワイパ
２０４  突出部
２０６，３０６  送信用光通信端子
２０７，３０７  受信用光通信端子
２０９，３０９  保護用光学部材
２１１，３１２，３１２ａ  光通信部
２２３  レンズ制御部
３００，６００  ボディアダプタ
３０１  第１マウント部
３０２  第２マウント部
３０３  ワイパ
３０５  溝部
３１３  ボディアダプタ制御部
４００  交換レンズ
４０１  レンズ側マウント部
４２３  レンズ制御部
５００  レンズアダプタ
５０３  第３マウント部
５０４  第４マウント部
６０１  防水ケース
【図１】
2014071289.tif 000003
【図２】
2014071289.tif 000004
【図３】
2014071289.tif 000005
【図４】
2014071289.tif 000006
【図５】
2014071289.tif 000007
【図６】
2014071289.tif 000008
【図７】
2014071289.tif 000009
【図８】
2014071289.tif 000010
【図９】
2014071289.tif 000011
【図１０】
2014071289.tif 000012
【図１１】
2014071289.tif 000013
【図１２】
2014071289.tif 000014
【図１３】
2014071289.tif 000015
【図１４】
2014071289.tif 000016
【図１５】
2014071289.tif 000017
【図１６】
2014071289.tif 000018
【図１７】
2014071289.tif 000019
【図１８】
2014071289.tif 000020
【図１９】
2014071289.tif 000021
【図２０】
2014071289.tif 000022
【図２１】
2014071289.tif 000023